(57)【要約】      （修正有）【課題】液体消費装置の液体導入部との接続を容易に行うことができる液体収容体を提供する。【解決手段】液体消費装置に設けられた液体導入部を介して液体消費装置に液体を供給する液体収容体５０は、液体を収容するための液体収容部５２と、液体収容部５２の内部と連通する液体供給部５７であって、液体収容部５２の一端部の長手方向となる第１方向を向く液体供給口５７２が形成され、液体導入部が接続される液体供給部５７と、液体収容部５２に連結され、把持可能な把持部を有する操作部５３と、を備える。【選択図】図１１
2016055444.tif 000002
【特許請求の範囲】
【請求項１】
液体消費装置に設けられた液体導入部を介して前記液体消費装置に液体を供給する液体収容体であって、
前記液体を収容するための液体収容部と、
前記液体収容部の内部と連通する液体供給部であって、前記液体収容部の一端部の長手方向となる第１方向を向く液体供給口が形成され、前記液体導入部が接続される液体供給部と、
前記液体収容部に連結され、把持可能な把持部を有する操作部と、を備えた液体収容体。
【請求項２】
請求項１に記載の液体収容体であって、
前記操作部は、前記液体収容部の前記一端部側に位置する、液体収容体。
【請求項３】
請求項１又は請求項２に記載の液体収容体であって、
前記液体供給部は、前記操作部に支持されている、液体収容体。
【請求項４】
請求項１から請求項３までのいずれか一項に記載の液体収容体であって、
前記把持部は、前記把持部の長手方向が前記一端部の前記長手方向に平行な方向となるように設けられている、液体収容体。
【請求項５】
請求項１から請求項４までのいずれか一項に記載の液体収容体であって、
前記操作部は、さらに、
前記液体収容部が収容する前記液体の色を識別するための色識別部を備えた、液体収容体。
【請求項６】
請求項１から請求項５までのいずれか一項に記載の液体収容体であって、
前記操作部は、さらに、
第１側部としての前記把持部から前記一端部の前記長手方向と交差する方向に延びる第２側部と、
前記把持部から前記一端部の前記長手方向と交差する方向に延び、前記第２側部と対向する第３側部と、を備え、
前記第３側部は、利用者の手が前記第３側部を通過して前記第２側部側に向けて移動可能な開口部を有する、液体収容体。
【請求項７】
請求項４に記載の液体収容体であって、
前記液体導入部は、前記液体消費装置の前面に向かって左側面側に設けられ、
前記液体消費装置を鉛直上方から見たときに、
前記液体収容体が前記液体消費装置に装着された装着状態において、前記左側面から時計回り方向における前記把持部の前記長手方向と前記左側面との成す角度は、０度以上９０度未満であり、
前記液体供給部を前記液体導入部に接続するときの方向は、前記液体消費装置の前記前面と後面とが対向する前後方向成分を有する方向である、液体収容体。
【請求項８】
請求項４に記載の液体収容体であって、
前記液体導入部は、前記液体消費装置の前面に向かって右側面側に設けられ、
前記液体消費装置を鉛直上方から見たときに、
前記液体収容体が前記液体消費装置に装着された装着状態において、前記右側面から反時計回り方向における前記把持部の前記長手方向と前記右側面との成す角度は、０度以上９０度未満であり、
前記液体供給部を前記液体導入部に接続するときの方向は、前記液体消費装置の前記前面と後面とが対向する前後方向成分を有する方向である、液体収容体。
【請求項９】
請求項１から請求項８までのいずれか一項に記載の液体収容体であって、さらに、
前記液体収容体を支持可能に前記液体消費装置に設けられた装置側係合部と係合可能な収容体側係合部を備えた、液体収容体。
【請求項１０】
液体消費装置に設けられた液体導入部を介して前記液体消費装置に液体を供給する液体収容体であって、
前記液体を収容するための液体収容部と、
前記液体収容部の内部と連通する液体供給部であって、前記液体収容部の一端部の長手方向となる第１方向を向く液体供給口が形成され、前記液体導入部が接続される液体供給部と、
前記液体収容体を支持可能に、前記液体消費装置に設けられた装置側係合部と係合可能な収容体側係合部と、を備えた液体収容体。
【請求項１１】
請求項９又は請求項１０に記載の液体収容体であって、
前記収容体側係合部は、前記一端部の長手方向と平行な方向に沿って設けられている、液体収容体。
【請求項１２】
請求項１から請求項１１までのいずれか一項に記載の液体収容体であって、さらに、
前記液体消費装置に設けられた装置側電気接続部と接触可能な接触部を有する収容体側電気接続部を備えた、液体収容体。
【請求項１３】
請求項１から請求項９までのいずれか一項に記載の液体収容体であって、さらに、
前記液体消費装置に設けられた装置側電気接続部と接触可能な接触部を有する収容体側電気接続部であって、前記操作部に支持された収容体側電気接続部を備えた、液体収容体。
【請求項１４】
請求項１３に記載の液体収容体であって、
前記液体収容体が前記液体消費装置に装着された装着状態において、
前記把持部の長手方向は鉛直方向と交差する方向に延び、
前記把持部の長手方向と垂直な面に前記操作部を投影したときに、前記液体供給部と前記接触部とは鉛直方向に少なくとも一部が重なって配置されている、液体収容体。
【請求項１５】
請求項１２から請求項１４までのいずれか一項に記載の液体収容体であって、
前記接触部は、前記第１方向に対して傾斜した斜面に設けられている、液体収容体。
【請求項１６】
請求項１２から請求項１５までのいずれか一項に記載の液体収容体であって、
前記接触部は複数設けられ、
前記複数の接触部によって規定される面は、前記接触部を前記装置側電気接続部に接続するときの前記液体収容体の接続方向に対して傾斜している、液体収容体。
【請求項１７】
請求項１２から請求項１５までのいずれか一項に記載の液体収容体であって、
前記接触部は複数設けられ、
前記複数の接触部は、前記第１方向と交差する方向に沿って配列されている、液体収容体。
【請求項１８】
請求項１から請求項９までのいずれか一項に記載の液体収容体であって、さらに、
前記液体消費装置に設けられた装置側電気接続部と接触可能な接触部を有する収容体側電気接続部を備え、
前記液体供給部と前記収容体側電気接続部とのいずれか一方と、前記把持部とは、前記第１方向に並んで配置されている、液体収容体。
【請求項１９】
請求項１２から請求項１８までのいずれか一項に記載の液体収容体であって、
前記収容体側電気接続部は、さらに、前記接触部が前記装置側電気接続部に接触する際に前記装置側電気接続部に対する前記接触部の位置を位置決めするための接触部側位置決め部を備えた、液体収容体。
【請求項２０】
請求項１から請求項１９までのいずれか一項に記載の液体収容体であって、
前記液体収容体が前記液体消費装置に装着された装着状態において、前記液体供給部は前記液体収容部よりも上側に位置する、液体収容体。
【請求項２１】
請求項１から請求項２０までのいずれか一項に記載の液体収容体であって、さらに、
前記液体供給部と前記液体収容部とを連通し、前記一端部と交差する連通流路部を備えた、液体収容体。
【請求項２２】
請求項１から請求項２１までのいずれか一項に記載の液体収容体であって、
前記液体供給部は、前記液体供給口が前記液体導入部と接続する際に、前記液体導入部に対する前記液体供給口の位置を位置決めするための供給口位置決め部を備えた、液体収容体。
【請求項２３】
請求項１から請求項２２までのいずれか一項に記載の液体収容体であって、
前記液体収容部は、
前記一端部の前記長手方向と直交する方向に対向し、可撓性を有する第１面及び第２面と、
前記第１面と前記第２面との内面同士を部分的に接合する接合部と、を有する、液体収容体。
【請求項２４】
請求項１から請求項２３までのいずれか一項に記載の液体収容体であって、さらに、
前記液体収容部を構成する面のうち可撓性を有する変形面に取り付けられ、前記変形面よりも剛性が高い抑制部材を備える、液体収容体。
【請求項２５】
液体消費装置に設けられた液体導入部を介して前記液体消費装置に液体を供給する液体収容体であって、
可撓性を有する互いに対向する第１面及び第２面を有し、液体を収容するための液体収容部と、
前記液体収容部の内部と連通し前記液体導入部が接続される液体供給部と、
前記第１面と前記第２面との内面同士を部分的に接合する接合部と、を備える、液体収容体。
【請求項２６】
液体消費装置に装着され前記液体消費装置に液体を供給する液体収容体であって、
少なくとも一部に可撓性を有し、前記液体を収容するための液体収容部と、
直線状に延びる中心軸を有し、前記液体消費装置の液体導入部が接続される液体供給部と、
前記液体収容部に連結された操作部と、を備え、
前記操作部は、
把持可能な第１側部であって、前記中心軸が延びる方向と平行な方向に延びる第１側部と、
前記第１側部と交差し前記液体供給部が支持される第２側部と、を有する、液体収容体。
【請求項２７】
液体消費装置に設けられた液体導入部を介して前記液体消費装置に液体を供給する液体収容体であって、
前記液体導入部に接続される液体供給部と、
少なくとも一部に可撓性を有し、前記液体収容体が前記液体消費装置に装着された状態において前記液体供給部の前記液体導入部への接続方向と平行な方向に延びる一端部を有する液体収容部と、
前記液体収容部に連結された操作部と、を備え、
前記操作部は、
把持可能な第１側部と、
前記第１側部のうち前記一端部の長手方向における一方の側に位置する操作部一端部から前記長手方向と交差する方向に延びる第２側部と、を備え、
前記液体供給部は、前記第２側部に支持される、液体収容体。
【請求項２８】
液体消費装置であって、
液体を吐出するヘッドを内部に収容する筺体と、
請求項１から請求項２７までのいずれか一項に記載の液体収容体の前記液体供給部を接続可能な液体導入部であって、前記筺体の外側に位置する液体導入部と、を備える、液体消費装置。
【請求項２９】
液体消費装置であって、
液体を吐出するヘッドを内部に収容する筺体と、
請求項１０又は請求項１１に記載の液体収容体の前記液体供給部を接続可能な液体導入部と、
前記液体収容体の前記収容体側係合部と係合し、前記液体収容体を支持可能な装置側係合部と、を備えた液体消費装置。
【請求項３０】
液体消費装置であって、
液体を吐出するヘッドを内部に収容する筺体と、
請求項１２から請求項１９までのいずれか一項に記載の液体収容体の前記接触部と接触する装置側電気接続部であって、前記筺体の外側に位置する装置側電気接続部と、を備える、液体消費装置。
【請求項３１】
請求項１から請求項２７までのいずれか一項に記載の液体収容体を装着するための液体消費装置であって、
前記液体収容体の前記液体供給部を接続可能な複数の液体導入部と、
隣り合う２つの液体導入部の間に配置され、前記液体収容体を収容するための収容空間部を区画形成する隔壁部と、を備える、液体消費装置。
【請求項３２】
電気接続体であって、
把持可能な第１側部、前記第１側部のうち前記第１側部の長手方向における一方の側に位置する操作部一端部から前記第１側部と交差する方向に延びる第２側部と、を有する操作部と、
液体消費装置に設けられた装置側電気接続部と接触可能な接触部を有する接続体側電気接続部であって、前記第２側部に設けられた接続体側電気接続部と、を備える、電気接続体。
【請求項３３】
請求項３２に記載の電気接続体であって、
前記接触部は、前記第１方向に対して傾斜した斜面に設けられている、電気接続体。
【請求項３４】
請求項３２又は請求項３３に記載の電気接続体であって、
前記接触部は複数設けられ、
前記複数の接触部によって規定される面は、前記接触部を前記装置側電気接続部に電気的に接触させるときの前記電気接続体の接続方向に対して傾斜している、電気接続体。
【請求項３５】
請求項３２から請求項３４までのいずれか一項に記載の電気接続体であって、さらに、
前記第２側部に設けられ、前記液体消費装置の液体導入部に接続される液体供給部を備え、
前記第１側部の長手方向と垂直な面に前記操作部を投影したときに、前記長手方向と垂直な方向であって前記第２側部が延びる方向に沿って前記液体供給部と前記接触部の少なくとも一部とが並んで配置されている、電気接続体。
【請求項３６】
液体消費装置に設けられた液体導入部に接続する電気接続体であって、
前記液体導入部と接続する液体供給部と、
前記液体供給部に連結して設けられ、前記液体消費装置に設けられた装置側係合部と係合可能な係合部と、
前記液体供給部と連結し、前記液体供給部が前記液体導入部と接続したときに前記液体供給部と鉛直方向に少なくとも一部が重なるように配置され、前記液体消費装置に設けられた装置側電気接続部と接触可能な接触部と、を備えた、電気接続体。
【発明の詳細な説明】
【技術分野】
【０００１】
本発明は、液体消費装置と液体消費装置に用いられる技術に関する。
【背景技術】
【０００２】
従来、プリンターの筺体の側面にインク袋が装着される技術が知られている（例えば、特許文献１）。特許文献１の技術では、インク袋のインクは、供給チューブを通ってプリンター内部に装着され、キャリッジ上に設けられたカートリッジに供給される。
【先行技術文献】
【特許文献】
【０００３】
【特許文献１】国際公開第９７／４２０３５号公報
【発明の概要】
【発明が解決しようとする課題】
【０００４】
特許文献１の技術では、インク袋をプリンターに装着するとき、固定されておらず自由状態の供給チューブ先端にインク袋のインク供給部を接続する必要がある。このため、インク袋をプリンターに装着することが困難となる場合がある。また、インク袋は可撓性を有するため、インク袋をプリンターから着脱するときに利用者がインク袋を把持すると、インク袋の形状が変化する。このため、インク袋の操作性が低下する場合があった。また、プリンターにインク袋を複数配置する場合、インク袋を装着するための装着操作スペースが横方向（水平方向）に大きくなる場合がある。
【０００５】
このような課題は、プリンターにインクを供給する技術に限らず、液体を吐出する液体消費装置と液体消費装置に用いられる技術に共通する。
【０００６】
従って、本発明は、上記課題の少なくとも一部を解決するためになされたものであり、少なくとも一部に可撓性を有する液体収容体と、液体消費装置の液体導入部との接続を容易に行うことができる技術を提供することを第１の目的とする。また、液体収容体を液体消費装置に着脱するときの液体収容体の操作性を向上できる技術を提供することを第２の目的とする。また、液体収容体を液体消費装置に装着するための装着操作スペースを抑制できる技術を提供することを第３の目的とする。また、従来の技術において、低コスト化、省資源化、製造の容易化、使い勝手の向上、構造を簡単にできる技術等が望まれている。
【課題を解決するための手段】
【０００７】
本発明は、上述の課題の少なくとも一部を解決するためになされたものであり、以下の形態として実現することが可能である。
【０００８】
（１）本発明の一形態によれば、液体消費装置に設けられた液体導入部を介して前記液体消費装置に液体を供給する液体収容体が提供される。この液体収容体は、前記液体を収容するための液体収容部と、前記液体収容部の内部と連通する液体供給部であって、前記液体収容部の一端部の長手方向となる第１方向を向く液体供給口が形成され、前記液体導入部が接続される液体供給部と、前記液体収容部に連結され、把持可能な把持部を有する操作部と、を備える。
この形態の液体収容体によれば、利用者は操作部の把持部を把持することにより操作部を容易に操作できる。また、把持部を有する操作部が液体収容部に連結されているため、操作部を移動させることで液体供給部を液体導入部に接続できる。また、液体供給口が液体収容部の一端部の長手方向となる第１方向を向いているため、液体収容体を液体消費装置に装着するときの装着方向と交差する方向における液体収容体の装着操作スペースを抑制できる。
【０００９】
（２）上記形態の液体収容体であって、前記操作部は、前記液体収容部の前記一端部側に位置しても良い。
この形態の液体収容体によれば、操作部が液体収容部の一端部側に位置するため操作部の把持部が把持されることで液体収容部の他端部側が一端部側よりも自重によって鉛直下側に垂れ下がる状態にできる。よって、把持部が把持された時の液体収容体の姿勢を安定にでき、液体収容体の操作を容易に行うことができる。
【００１０】
（３）上記形態の液体収容体であって、前記液体供給部は、前記操作部に支持されていても良い。
この形態の液体収容体によれば、操作部の位置を操作することで液体供給部の位置も容易に操作できる。
【００１１】
（４）上記形態の液体収容体であって、前記把持部は、前記把持部の長手方向が前記一端部の前記長手方向に平行な方向となるように設けられていても良い。
この形態の液体収容体によれば、把持部の長手方向が、一端部の長手方向と交差する方向である場合に比べ、液体収容体を薄型化できる。
【００１２】
（５）上記形態の液体収容体であって、前記操作部は、さらに、前記液体収容部が収容する前記液体の色を識別するための色識別部を備えても良い。
この形態の液体収容体によれば、液体収容部の液体の色を容易に識別できる。
【００１３】
（６）上記形態の液体収容体であって、前記操作部は、さらに、第１側部としての前記把持部から前記一端部の前記長手方向と交差する方向に延びる第２側部と、前記把持部から前記一端部の前記長手方向と交差する方向に延び、前記第２側部と対向する第３側部と、を備え、前記第３側部は、利用者の手が前記第３側部を通過して前記第２側部側に向けて移動可能な開口部を有しても良い。
この形態の液体収容体によれば、開口部に利用者の手を挿入することによって操作部の第１側部としての把持部を容易に把持できる。
【００１４】
（７）上記形態の液体収容体であって、前記液体導入部は、前記液体消費装置の前面に向かって左側面側に設けられ、前記液体消費装置を鉛直上方から見たときに、前記液体収容体が前記液体消費装置に装着された装着状態において、前記左側面から時計回り方向における前記把持部の前記長手方向と前記左側面との成す角度は、０度以上９０度未満であり、前記液体供給部を前記液体導入部に接続するときの方向は、前記液体消費装置の前記前面と後面とが対向する前後方向成分を有する方向であっても良い。
この形態の液体収容体によれば、液体消費装置と液体収容体とを有する液体消費システムが左右方向に大型化することを抑制できる。また、液体収容体を液体消費装置に装着するときの左右方向における液体収容体の装着操作スペースを抑制できる。
【００１５】
（８）上記形態の液体収容体であって、前記液体導入部は、前記液体消費装置の前面に向かって右側面側に設けられ、前記液体消費装置を鉛直上方から見たときに、前記液体収容体が前記液体消費装置に装着された装着状態において、前記右側面から反時計回り方向における前記把持部の前記長手方向と前記右側面との成す角度は、０度以上９０度未満であり、前記液体供給部を前記液体導入部に接続するときの方向は、前記液体消費装置の前記前面と後面とが対向する前後方向成分を有する方向であっても良い。
この形態の液体収容体によれば、液体消費装置と液体収容体とを有する液体消費システムが左右方向に大型化することを抑制できる。また、液体収容体を液体消費装置に装着するときの左右方向における液体収容体の操作スペースを抑制できる。
【００１６】
（９）上記形態の液体収容体であって、前記液体収容体を支持可能に前記液体消費装置に設けられた装置側係合部と係合可能な収容体側係合部を備えても良い。
この形態の液体収容体によれば、収容体側係合部によって液体収容体を液体消費装置に支持できる。
【００１７】
（１０）本発明の他の一形態によれば、液体消費装置に設けられた液体導入部を介して前記液体消費装置に液体を供給する液体収容体が提供される。この液体収容体は、前記液体を収容するための液体収容部と、前記液体収容部の内部と連通する液体供給部であって、前記液体収容部の一端部の長手方向となる第１方向を向く液体供給口が形成され、前記液体導入部が接続される液体供給部と、前記液体収容体を支持可能に、前記液体消費装置に設けられた装置側係合部と係合可能な収容体側係合部と、を備える。
この形態の液体収容体によれば、液体供給口が液体収容部の一端部の長手方向となる第１方向を向いているため、液体収容体を液体消費装置に装着するときの装着方向と交差する方向における液体収容体の装着操作スペースを抑制できる。また、収容体側係合部によって液体収容体を液体消費装置に支持できる。
【００１８】
（１１）上記形態の液体収容体であって、前記収容体側係合部は、前記一端部の長手方向と平行な方向に沿って設けられていても良い。
この形態の液体収容体によれば、収容体側係合部によって液体収容体を液体消費装置により安定に支持できる。
【００１９】
（１２）上記形態の液体収容体であって、さらに、前記液体消費装置に設けられた装置側電気接続部と接触可能な接触部を有する収容体側電気接続部を備えても良い。
この形態の液体収容体によれば、収容体側電気接続部を装置側電気接続部と電気的に接続できる。これにより例えば、液体収容体と液体消費装置との間で各種情報（例えば、液体収容部が収容する液体の色情報や、液体の残量など）をやり取りできる。
【００２０】
（１３）上記形態の液体収容体であって、さらに、前記液体消費装置に設けられた装置側電気接続部と接触可能な接触部を有する収容体側電気接続部であって、前記操作部に支持された収容体側電気接続部を備えても良い。
この形態の液体収容体によれば、収容体側電気接続部を装置側電気接続部と電気的に接続できる。これにより例えば、液体収容体と液体消費装置との間で各種情報（例えば、液体収容部が収容する液体の色情報や、液体の残量など）をやり取りできる。
【００２１】
（１４）上記形態の液体収容体であって、前記液体収容体が前記液体消費装置に装着された装着状態において、前記把持部の長手方向は鉛直方向と交差する方向に延び、前記把持部の長手方向と垂直な面に前記操作部を投影したときに、前記液体供給部と前記接触部とは鉛直方向に並んでもしくは少なくとも一部が重なって配置されていても良い。
この形態の液体収容体によれば、把持部の長手方向と鉛直方向とに直交する方向において液体収容体が大型化することを抑制できる。
【００２２】
（１５）上記形態の液体収容体であって、前記接触部は、前記第１方向に対して傾斜した斜面に設けられていても良い。
この形態の液体収容体によれば、接触部と装置側電気接続部とが接触する直前に互いに擦れ合うことによって接触部に付着した異物を除去できる。これにより、接触部と装置側電気接続部との電気的な接続不良が発生する可能性を低減できる。
【００２３】
（１６）上記形態の液体収容体であって、前記接触部は複数設けられ、前記複数の接触部によって規定される面は、前記接触部を前記装置側電気接続部に接続するときの前記液体収容体の接続方向に対して傾斜していても良い。
この形態の液体収容体によれば、接触部と装置側電気接続部とが接触する直前に互いに擦れ合うことによって接触部に付着した異物を除去できる。これにより、接触部と装置側電気接続部との電気的な接続不良が発生する可能性を低減できる。
【００２４】
（１７）上記形態の液体収容体であって、前記接触部は複数設けられ、前記複数の接触部は、前記第１方向と交差する方向に沿って配列されていても良い。
この形態の液体収容体によれば、第１方向に沿って複数の接触部を設けることができる。
【００２５】
（１８）上記形態の液体収容体であって、さらに、前記液体消費装置に設けられた装置側電気接続部と接触可能な接触部を有する収容体側電気接続部を備え、前記液体供給部と前記収容体側電気接続部とのいずれか一方と、前記把持部とは、前記第１方向に並んで配置されていても良い。
この形態の液体収容体によれば、第１方向と交差する方向における液体収容体の大きさを抑制できる。また、把持部を操作することで、液体導入部への液体供給部の接続、又は、装置側電気接続部への収容体側電気接続部の接続を容易に行うことができる。
【００２６】
（１９）上記形態の液体収容体であって、前記収容体側電気接続部は、さらに、前記接触部が前記装置側電気接続部に接触する際に前記装置側電気接続部に対する前記接触部の位置を位置決めするための接点位置決め部を備えても良い。
この形態の液体収容体によれば、接点位置決め部によって接触部と装置側電気接続部との位置ズレを抑制できる。
【００２７】
（２０）上記形態の液体収容体であって、前記液体収容体が前記液体消費装置に装着された装着状態において、前記液体供給部は前記液体収容部よりも上側に位置しても良い。
この形態の液体収容体によれば、液体収容体を操作する際に液体供給部の位置を容易に確認できる。
【００２８】
（２１）上記形態の液体収容体であって、前記液体供給部と前記液体収容部とを連通し、前記一端部と交差する連通流路部を備えても良い。
この形態の液体収容体によれば、連通流路部を介して液体収容部の液体が液体供給部に流通できる。
【００２９】
（２２）上記形態の液体収容体であって、前記液体供給部は、前記液体供給口が前記液体導入部と接続する際に、前記液体導入部に対する前記液体供給口の位置を位置決めするための供給口位置決め部を備えても良い。
この形態の液体収容体によれば、液体供給口を液体導入部に接続する時の液体供給口と液体導入部との位置ズレを抑制できる。
【００３０】
（２３）上記形態の液体収容体であって、前記液体収容部は、前記一端部の前記長手方向と直交する方向に対向し、可撓性を有する第１面及び第２面と、前記第１面と前記第２面との内面同士を部分的に接合する接合部と、を有しても良い。
この形態の液体収容体によれば、第１面と第２面との対向方向において液体収容部が局所的に大きく膨らむことを抑制できる。
【００３１】
（２４）上記形態の液体収容体であって、さらに、前記液体収容部を構成する面のうち可撓性を有する変形面に取り付けられ、前記変形面よりも剛性が高い抑制部材を備えても良い。
この形態の液体収容体によれば、液体収容部の変形面が過度に膨らむことを抑制できる。
【００３２】
（２５）本発明の別の他の一形態によれば、液体消費装置に設けられた液体導入部を介して前記液体消費装置に液体を供給する液体収容体が提供される。この形態の液体収容体によれば、可撓性を有する互いに対向する第１面及び第２面を有し、液体を収容するための液体収容部と、前記液体収容部の内部と連通し前記液体導入部が接続される液体供給部と、前記第１面と前記第２面との内面同士を部分的に接合する接合部と、を備える。
この形態の液体収容体によれば、第１面と第２面とが対向する方向に液体収容部が局所的に大きく膨らむことを抑制できる。
【００３３】
（２６）本発明の他の別の一形態によれば、液体消費装置に装着され前記液体消費装置に液体を供給する液体収容体が提供される。この液体収容体は、少なくとも一部に可撓性を有し、前記液体を収容するための液体収容部と、直線状に延びる中心軸を有し、前記液体消費装置の液体導入部が接続される液体供給部と、前記液体収容部に連結された操作部と、を備え、前記操作部は、把持可能な第１側部であって、前記中心軸が延びる方向と平行な方向に延びる第１側部と、前記第１側部と交差し前記液体供給部が支持される第２側部と、を有する。
この形態の液体収容体によれば、利用者は操作部の第１側部を把持することにより操作部を容易に操作できる。また、第１側部を有する操作部が液体収容部に連結されているため、操作部を移動させることで液体供給部を液体導入部に接続できる。また、第１側部は中心軸が延びる方向と平行な方向に延びるため、液体収容体を液体消費装置に装着するときの装着方向と交差する方向における液体収容体の装着操作スペースを抑制できる。
【００３４】
（２７）本発明の他の別の一形態によれば、液体消費装置に装着され前記液体消費装置に液体を供給する液体収容体が提供される。この液体収容体は、前記液体導入部に接続される液体供給部と、少なくとも一部に可撓性を有し、前記液体収容体が前記液体消費装置に装着された状態において前記液体供給部の前記液体導入部への接続方向と平行な方向に延びる一端部を有する液体収容部と、前記液体収容部に連結された操作部と、を備え、前記操作部は、把持可能な第１側部と、前記第１側部のうち前記一端部の長手方向における一方の側に位置する操作部一端部から前記長手方向と交差する方向に延びる第２側部と、を備え、前記液体供給部は、前記第２側部に支持される。
この形態の液体収容体によれば、利用者は操作部の第１側部を把持することにより操作部を容易に操作できる。また、第１側部を有する操作部が液体収容部に連結されているため、操作部を移動させることで液体供給部を液体導入部に接続できる。また、液体供給部を支持する第２側部が長手方向と交差する方向に延びるため、液体収容体を液体消費装置に装着方向（接続方向）と第２側部が延びる方向とに交差する方向における液体収容体の装着操作スペースを抑制できる。
【００３５】
（２８）本発明の他の別の一形態によれば液体消費装置が提供される。この液体消費装置は、液体を吐出するヘッドを内部に収容する筺体と、上記形態の液体収容体の前記液体供給部を接続可能な液体導入部であって、前記筺体の外側に位置する液体導入部と、を備える。
この形態の液体消費装置によれば、筺体の外側に液体導入部が位置するため、筺体の内部に液体導入部が位置する場合に比べて液体導入部と液体供給部との接続を容易にできる。
【００３６】
（２９）本発明の他の別の一形態によれば液体消費装置が提供される。この液体消費装置は、液体を吐出するヘッドを内部に収容する筺体と、上記形態の液体収容体の前記液体供給部を接続可能な液体導入部と、前記液体収容体の前記収容体側係合部と係合し、前記液体収容体を支持可能な装置側係合部と、を備える。
この液体の液体消費装置によれば、装置側側係合部によって液体収容体を支持できる。また、装置側係合部が筺体の外側に位置するため、装置側係合部が筺体の内側に位置する場合に比べ、装置側係合部の配置位置を容易に確認できる。
【００３７】
（３０）本発明の他の別の一形態によれば液体消費装置が提供される。この液体消費装置は、液体を吐出するヘッドを内部に収容する筺体と、上記形態の液体収容体の前記接触部と接触する装置側電気接続部であって、前記筺体の外側に位置する装置側電気接続部と、を備える。
この形態の液体消費装置によれば、筺体の外側に装置側電気接続部が位置するため、筺体の内側に装置側電気接続部が位置する場合に比べて装置側電気接続部と接触部との接触を容易にできる。
【００３８】
（３１）本発明の他の別の一形態によれば液体消費装置が提供される。この形態の液体消費装置は、前記液体収容体の前記液体供給部を接続可能な複数の液体導入部と、隣り合う２つの液体導入部の間に配置され、前記液体収容体を収容するための収容空間部を区画形成する隔壁部と、を備える。
この形態の液体消費装置によれば、隔壁部によって隣り合う収容空間部を区画することで、隣り合う液体収容体が当たることを抑制し、液体収容体の装着操作を容易に行うことができる。
【００３９】
（３２）本発明の他の別の一形態によれば電気接続体が提供される。この電気接続体は、把持可能な第１側部、前記第１側部のうち前記第１側部の長手方向における一方の側に位置する操作部一端部から前記第１側部と交差する方向に延びる第２側部と、を有する操作部と、液体消費装置に設けられた装置側電気接続部と接触可能な接触部を有する接続体側電気接続部であって、前記第２側部に設けられた接続体側電気接続部と、を備える。
この形態の電気接続体によれば、利用者は操作部の第１側部を把持することにより操作部を容易に操作できる。
【００４０】
（３３）上記形態の電気接続体であって、前記接触部は、前記第１方向に対して傾斜した斜面に設けられていても良い。
この形態の電気接続体によれば、接触部と装置側電気接続部とが接触する直前に互いに擦れ合うことによって接触部に付着した異物を除去できる。これにより、接触部と装置側電気接続部との電気的な接続不良が発生する可能性を低減できる。
【００４１】
（３４）上記形態の電気接続体であって、前記接触部は複数設けられ、前記複数の接触部によって規定される面は、前記接触部を前記装置側電気接続部に電気的に接触させるときの前記電気接続体の接続方向に対して傾斜していても良い。
この形態の電気接続体によれば、接触部と装置側電気接続部とが接触する直前に互いに擦れ合うことによって接触部に付着した異物を除去できる。これにより、接触部と装置側電気接続部との電気的な接続不良が発生する可能性を低減できる。
【００４２】
（３５）上記形態の電気接続体であって、さらに、前記第２側部に設けられ、前記液体消費装置の液体導入部に接続される液体供給部を備え、前記第１側部の長手方向と垂直な面に前記操作部を投影したときに、前記長手方向と垂直な方向であって前記第２側部が延びる方向に沿って前記液体供給部と前記接触部の少なくとも一部とが並んで配置されていても良い。
この形態の電気接続体によれば、操作部の長手方向と前記第２側部が延びる方向とに直交する方向において電気接続体が大型化することを抑制できる。
【００４３】
（３６）本発明の他の別の一形態によれば液体消費装置に設けられた液体導入部に接続する電気接続体が提供される。この電気接続体は、前記液体導入部と接続する液体供給部と、前記液体供給部に連結して設けられ、前記液体消費装置に設けられた装置側係合部と係合可能な係合部と、前記液体供給部と連結し、前記液体供給部が前記液体導入部と接続したときに前記液体供給部と鉛直方向に少なくとも一部が重なるように配置され、前記液体消費装置に設けられた装置側電気接続部と接触可能な接触部と、を備える。
この形態の電気接続体によれば、液体供給部と鉛直方向に少なくとも一部が重なるように接触部が配置されているため、鉛直方向と交差する方向において電気接続体が大型化することを抑制できる。
【００４４】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００４５】
例えば、本発明の一形態において、液体収容部と、操作部と、液体供給部と、の複数の要素の内の１つ以上の要素を備えた装置としても実現可能である。すなわち、この装置は、液体収容体を有していても良く、有していなくても良い。また、この装置は、操作部を有していても良く、有していなくても良い。また、この装置は液体供給部を有していても良く有していなくても良い。
【００４６】
また例えば、本発明の他の一形態において、液体収容部と、液体供給部と、収容体側係合部と、の複数の要素の内の１つ以上の要素を備えた装置としても実現可能である。すなわち、この装置は、液体収容体を有していても良く、有していなくても良い。また、この装置は、液体供給部を有していても良く、有していなくても良い。またこの装置は、収容体側係合部を有していても良く、有していなくても良い。
【００４７】
このような各種形態によれば、装置の小型化、低コスト化、省資源化、製造の容易化、使い勝手の向上等の種々の課題の少なくとも１つを解決することができる。また前述した液体収容容器の各形態の技術的特徴の一部又は全部は、いずれもこの装置に適用することが可能である。
【００４８】
なお、本発明は、種々の形態で実現することが可能であり、例えば、液体収容体の製造方法、液体収容体と液体消費装置とを備える液体消費システム等の態様で実現することができる。
【図面の簡単な説明】
【００４９】
【図１】液体消費システムの第１の斜視図である。
【図２】液体消費システムの第２の斜視図である。
【図３Ａ】着脱ユニットの斜視図である。
【図３Ｂ】第２の液体収容ケースの内部を示す第１の図である。
【図４】第２の液体収容ケースの内部を示す第２の図である。
【図５】第２の液体収容ケースの内部を示す第３の図である。
【図６】着脱ユニットの斜視図である。
【図７】図３ＢのＦ３Ａ−Ｆ３Ａ断面図である。
【図８】図３ＢのＦ３Ｂ−Ｆ３Ｂ断面図である。
【図９】図４のＦ４Ａ−Ｆ４Ａ断面図である。
【図１０】図４のＦ４Ｂ−Ｆ４Ｂ断面図である。
【図１１】液体収容体の第１の斜視図である。
【図１２】液体収容体の第２の斜視図である。
【図１３】液体収容体の正面図である。
【図１４】液体収容体の左側面図である。
【図１５】液体収容体の背面図である。
【図１６】液体収容体の上面図である。
【図１７】液体収容体の部分拡大図である。
【図１８】回路基板を説明するための図である。
【図１９】図１８の矢視Ｆ１８である。
【図２０】液体収容体の装着方法を説明するための第１の図である。
【図２１】液体収容体の装着方法を説明するための第２の図である。
【図２２】液体収容体の装着方法を説明するための第３の図である。
【図２３】液体収容体の装着方法を説明するための第４の図である。
【図２４】第２実施形態の液体消費システムの斜視図である。
【図２５】液体消費システムの部分拡大図である。
【図２６】液体収容体の第１の斜視図である。
【図２７】液体収容体の第２の斜視図である。
【図２８】図２４のＦ２４−Ｆ２４断面図である。
【図２９】他の実施形態の液体収容体の斜視図である。
【図３０】他の実施形態の液体収容体の断面図である。
【図３１】他の実施形態の液体収容体の断面図である。
【図３２】他の実施形態の液体収容体の斜視図である。
【図３３】他の実施形態の液体収容体の左側面図である。
【図３４】他の実施形態の液体収容体を説明するための図である。
【図３５】他の実施形態の液体収容体を説明するための図である。
【図３６】他の実施形態の液体収容体を説明するための図である。
【図３７】他の実施形態の液体収容体を説明するための図である。
【図３８】電気接続体を説明するための図である。
【図３９】第２変形例を説明するための図である。
【発明を実施するための形態】
【００５０】
Ａ．第１実施形態：
Ａ−１．液体消費システムの構成：
図１は、液体消費システム１０００の第１の斜視図である。図２は、液体消費システム１０００の第２の斜視図である。図１，図２には、互いに直交するＸＹＺ軸が描かれている。
【００５１】
図１に示すように、液体消費システム１０００は、液体消費装置としてのプリンター１０と、４つの液体収容体５０とを備える。液体消費システム１０００の使用状態では、プリンター１０はＸ軸方向とＹ軸方向によって規定される水平な面に設置される。すなわち、Ｚ軸方向が鉛直方向（上下方向）となる。また、−Ｚ軸方向が鉛直下方向となり、＋Ｚ軸方向が鉛直上方向となる。液体収容体５０からプリンター１０に液体としてのインクが供給される。
【００５２】
プリンター１０は、インクジェットプリンターである。プリンター１０は、プリンター本体としての筺体１９と、２つの液体収容ケース２０とを備える。プリンター１０の筺体１９は、略直方体形状である。プリンター１０の筺体１９は、前面（第１面，第１壁）１０２と、左側面（第１側面，第１側壁）１０４と、右側面（第２側面，第２側壁）１０６と、後面（第２面，第２壁）１０９と、上面（第３面，第３壁）１０７と、底面（第４面，第４壁）１０８と、を備える。
【００５３】
前面１０２と後面１０９とは対向する。左側面１０４と右側面１０６とは対向する。前面１０２と後面１０９と左側面１０４と右側面１０６とは、プリンター１０の設置面に対して略垂直な面である。上面１０７と底面１０８とは対向する。上面１０７と底面１０８とは、プリンターの設置面に対して略水平な面である。左側面１０４と右側面１０６とはそれぞれ前面１０２及び後面１０９と交差する。ここで、「略垂直」や「略水平」とは、完全に「垂直」又は「水平」である意味に加え、概ね「垂直」又は「水平」である意味を含む。つまり、各面１０２，１０４，１０６，１０７，１０８，１０９は、完全な平面ではなく凹凸等を含む面であるので、外観において概ね「垂直」又は概ね「水平」であれば良い。
【００５４】
前面１０２と後面１０９とが対向する方向がＸ軸方向である。左側面１０４と右側面１０６とが対向する方向がＹ軸方向である。上面１０７と底面１０８とが対向する方向がＺ軸方向である。Ｘ軸方向はプリンター１０の「奥行方向」であり、Ｙ軸方向はプリンター１０の「幅方向（左右方向）」であり、Ｚ軸方向はプリンター１０の「高さ方向」である。
【００５５】
プリンター１０は、制御部１３と、記録機構１１と、給紙カセット１６と、排出トレイ１７とを備える。給紙カセット１６は、鉛直方向（上下方向）の異なる高さ位置に複数設けられている。給紙カセット１６には、プリンター１０によって文字等の画像が印刷（記録）される記録媒体（例えば、用紙）が収容される。本実施形態では、筺体１９に対して２つの給紙カセット１６が鉛直方向に重ねて設けられている。給紙カセット１６は、筺体１９に対して増設可能である。つまり、新たな給紙カセット１６を筺体１９に設ける場合、新たな給紙カセット１６を現在設けられている給紙カセット１６の鉛直下側に重ねて配置する。
【００５６】
制御部１３と記録機構１１とは、筺体１９の内部に配置されている。制御部１３は、液体消費システム１０００の各種動作を制御する。記録機構１１は、インクを吐出（噴射）するヘッド１２を備える。ヘッド１２は、液体収容ケース２０に設けられた後述する液体導入部と連通している。記録機構１１は、制御部１３からの制御信号に従って記録媒体としての用紙にインクを噴射することで画像等の印刷（記録）を行う。具体的には、記録機構１１によって用紙を＋Ｘ軸方向（副走査方向）に沿って搬送すると共に、ヘッド１２がＹ軸方向（主走査方向）に移動しながら用紙にインクを噴射することで用紙に印刷を行う。ヘッド１２の移動は、ステッピングモーター（図示せず）の駆動によりタイミングベルト（図示せず）を介して行われる。なお、本実施形態では、いわゆるヘッド１２が主走査方向に移動するシリアルヘッド方式のプリンターであるが、他の実施形態では、ヘッド１２がＹ軸方向の延びる長尺形状であって、ヘッド１２が移動することなく固定されたいわゆるラインヘッド方式のプリンターであっても良い。
【００５７】
排出トレイ１７は、前面１０２に設けられている。排出トレイ１７は、記録機構１１によって記録された記録媒体を排出する。
【００５８】
２つの液体収容ケース２０は、左側面１０４及び右側面１０６に取り付けられている。すなわち、２つの液体収容ケース２０は筺体１９の外側に位置する。ここで、左側面１０４に取り付けられた液体収容ケース２０を「第１の液体収容ケース２０Ａ」とも呼び、右側面１０６に取り付けられた液体収容ケース２０を「第２の液体収容ケース２０Ｂ」とも呼ぶ。なお、第１と第２の液体収容ケース２０Ａ，２０Ｂを区別することなく用いる場合は、単に液体収容ケース２０と呼ぶ。
【００５９】
第１の液体収容ケース２０Ａ（図１）は、液体収容体５０を収容するためのケース本体２２と、液体収容体５０を着脱するための着脱ユニット３０とを備える。第２の液体収容ケース２０Ｂ（図２）は、液体収容体５０を収容するためのケース本体２２と、３つの液体収容体５０に対応した３つの着脱ユニット３０とを備える。ここで、２つのケース本体２２を区別して用いる場合は、符号「２２Ａ」，「２２Ｂ」を用いる。また、各液体収容体５０を区別して用いる場合は、符号「５０Ｋ」，「５０Ｃ」，「５０Ｍ」，「５０Ｙ」を用いる。また、各着脱ユニット３０を区別して用いる場合は符号「３０Ｋ」，「３０Ｃ」，「３０Ｍ」，「３０Ｙ」を用いる。なお、液体収容ケース２０、液体収容体５０、着脱ユニット３０の個数は上記に限定されるものではない。例えば、ケース本体２２は、１つであっても良いし、３つ以上であっても良い。また、１つの液体収容ケース２０に収容される液体収容体５０の個数は、１つであっても良いし、２つ以上であっても良い。
【００６０】
ケース本体２２は、支点部２３を支点として鉛直上方向側の端部２４を回転させることで開閉自在に構成されている。液体収容体５０が収容するインクが消費された後は、利用者は、ケース本体２２を開いて消費された液体収容体５０を着脱ユニット３０から取り外す。そして、利用者は、新たな液体収容体５０を着脱ユニット３０に装着した後にケース本体２２を閉じる。
【００６１】
４つの液体収容体５０には、相互に異なる種類のインクが収容（充填）されている。本実施形態では、ブラック（Ｋ）、イエロー（Ｙ）、マゼンタ（Ｍ）、シアン（Ｃ）のインクが、それぞれ異なる液体収容体５０に収容されている。液体収容体５０Ｋはブラックのインクを収容した液体収容部を有し、液体収容体５０Ｃはシアンのインクを収容した液体収容部を有し、液体収容体５０Ｍはマゼンタのインクを収容した液体収容部を有し、液体収容体５０Ｙはイエローのインクを収容した液体収容部を有する。
【００６２】
着脱ユニット３０（図１，図２）は、液体収容体５０を着脱可能に装着する。すなわち、液体収容体５０は、ケース本体２２の内部に着脱可能に収容される。着脱ユニット３０Ｋはケース本体２２Ａの内部に配置され、着脱ユニット３０Ｃ，３０Ｍ，３０Ｙはケース本体２２Ｂの内部に配置されている。着脱ユニット３０に液体収容体５０が装着された場合、プリンター１０が備えるポンプ機能を有する供給機構（図示せず）によって液体収容体５０に収容されたインクが吸引されることでプリンター１０のヘッド１２に供給される。
【００６３】
Ａ−２．着脱ユニット３０の構成：
図３Ａは、着脱ユニット３０の斜視図である。図３Ｂは、第２の液体収容ケース２０Ｂの内部を示す第１の図である。図４は、第２の液体収容ケース２０Ｂの内部を示す第２の図である。図５は、第２の液体収容ケース２０Ｂの内部を示す第３の図である。図３Ｂは、第２の液体収容ケース２０Ｂ内に液体収容体５０が収容されていない状態を示している。図４及び図５は、プリンター１０に液体収容体５０が装着された装着状態を示している。
【００６４】
第１の液体収容ケース２０Ａ（図１）内に配置された着脱ユニット３０Ｋと、第２液体収容ケース２０Ｂ（図２）内に配置された着脱ユニット３０Ｃ，３０Ｍ，３０Ｙとは、取り付けられた側面１０４，１０６に対する角度ａ１（図４）が異なる。その他の着脱ユニット３０の構成については同様である。以下では、着脱ユニット３０Ｃ，３０Ｍ，３０Ｙの構成を説明すると共に、着脱ユニット３０Ｋの特有の構成について併せて説明する。
【００６５】
３つの着脱ユニット３０Ｃ，３０Ｍ，３０Ｙ（図３Ａ、図３Ｂ、図５）は、Ｘ軸方向に沿って並んで配置されている。着脱ユニット３０（図３Ｂ）は、固定部材３２と可動部材３４と接続部材４０とを備える。固定部材３２及び接続部材４０は、ケース本体２２にねじ等の取付部材によって取り付けられることでケース本体２２に支持されている。
【００６６】
図３Ａに示すように、可動部材３４は、固定部材３２に移動可能に支持されている。可動部材３４は，移動することで液体収容体５０の液体供給部５７を液体導入部３６２との接続位置に案内するための案内部としても機能する。可動部材３４の移動方向は、右側面１０６に対して傾斜した方向である。詳細には、図３Ｂに示すように、プリンター１０を鉛直上方から見たときに、右側面１０６から反時計回り方向における右側面１０６と移動方向との成す角度ＡＭは、０度以上９０度未満である。本実施形態では、角度ＡＭは２５度である。接続部材４０が向く方向（後述する液体導入部３６２の中心軸ＣＬと平行な方向）は、移動方向と平行である。なお、着脱ユニット３０Ｋの移動方向は、左側面１０４と平行であるＸ軸方向である。ここで、移動方向のうち接続部材４０に向かう方向が、液体収容体５０の装着方向（接続方向）であり、その反対方向が取り外し方向である。可動部材３４は、液体収容体５０の収容部支持アセンブリ５１が液体収容部５２よりも鉛直上側に位置するように液体収容体５０を支持する（図４，図５）。収容部支持アセンブリ５１は、利用者が把持可能な第１側部５３２を有する。第１側部５３２の長手方向は、移動方向と平行である。ここで図４に示すように、プリンター１０を鉛直上方から見たときに、右側面１０６から反時計回り方向における右側面１０６と第１側部５３２の長手方向Ｋ１Ｄとの成す角度ａ１は、０度以上９０度未満である。本実施形態では、角度ａ１は２５度である。また、液体収容体５０の接続方向は、前面１０２と後面１０９とが対向する前後方向成分（Ｘ軸方向成分）を有する方向である。
【００６７】
図６は、着脱ユニット３０の斜視図である。図７は、図３ＢのＦ３Ａ−Ｆ３Ａ断面図である。図８は、図３ＢのＦ３Ｂ−Ｆ３Ｂ断面図である。図９は、図４のＦ４Ａ−Ｆ４Ａ断面図である。図１０は、図４のＦ４Ｂ−Ｆ４Ｂ断面図である。ここで、図６〜図１０には、互いに直交するＫ１軸，Ｋ２軸，Ｚ軸が描かれている。また、これ以降の図についても必要に応じてＫ１軸，Ｋ２軸，Ｚ軸が描かれている。ここで、液体導入部３６２の中心軸ＣＬ（図７）に平行な方向（液体導入部３６２が延びる方向）をＫ１軸方向とし、Ｚ軸方向及びＫ１軸方向と直交する方向をＫ２軸方向とする。
【００６８】
固定部材３２（図６）は、本体部３２１と、本体部３２１から突出する固定側レール部３２２と、を備える。固定側レール部３２２は、Ｋ１軸方向に沿って延びる。
【００６９】
可動部材３４（図６）は、鉛直上側に位置する上面部３４１と、上面部３４１に形成された凹形状の装置側係合部３４５と、固定側レール部３２２と係合する可動側レール部３４２とを備える。装置側係合部３４５は、液体収容体５０を支持可能に設けられている。装置側係合部３４５には、図１０に示すように収容部支持アセンブリ５１が備える突起状の収容体側係合部５１１が挿入される。これにより、可動部材３４は、液体収容体５０の収容部支持アセンブリ５１が液体収容部５２よりも鉛直上側に位置するように、液体収容体５０を支持する。可動側レール部３４２は、可動部材３４を移動方向（Ｋ１軸方向）に沿って移動可能なように固定側レール部３２２と係合する。可動側レール部３４２は、Ｋ１軸方向に沿って延びる。
【００７０】
接続部材４０（図６）は、液体導入機構３６と接点機構３８とを備える。液体導入機構３６と接点機構３８とは、Ｚ軸方向に沿って並んで配置されている。接点機構３８は、液体導入機構３６よりも上側に位置する。
【００７１】
液体導入機構３６は、液体導入本体部３６３（図７）と、液体導入部３６２（図６）と、導入部側位置決め部３６６ａ〜３６６ｄ（図６）とを有する。図７に示すように、液体導入部３６２は、液体導入本体部３６３から＋Ｋ１軸方向側に突出する。液体導入部３６２は、内部にインクが流通できる針状である。液体導入部３６２は、中心軸ＣＬを有し、中心軸ＣＬ方向に沿って延びる筒状である。図９に示すように、液体導入部３６２には液体収容体５０の液体供給部５７が接続される。液体供給部５７から液体導入部３６２に供給されたインクは、液体導入本体部３６３の内部流路と、内部流路に接続された流通部材としてのホース７２を介してプリンター１０側へと流通する。図８に示すように、導入部側位置決め部３６６ａ〜３６６ｄは、中心軸ＣＬを中心とした液体導入部３６２の周囲に所定の間隔毎に設けられている。導入部側位置決め部３６６ａ〜３６６ｄは、液体導入本体部３６３から＋Ｋ１軸方向側に突出する。導入部側位置決め部３６６ａ〜３６６ｄは、液体収容体５０を装着するときの液体供給部５７と液体導入部３６２との位置決めを行うための部材である。
【００７２】
接点機構３８（図６）は、装置側電気接続部としての複数の装置側端子３８１と、複数の装置側端子を保持する保持部材３８５と、接点機構側位置決め部３８６、３８７とを備える。複数の装置側端子３８１は、液体収容体５０の回路基板５８２が有する接触部ｃｐ（図７）と接触することで回路基板５８２と電気的に接続される。装置側端子３８１はプリンター１０の制御部１３（図１）と配線等を介して電気的に接続されている。これにより、装着状態において制御部１３と回路基板５８２との間では液体収容体５０に関する各種情報（例えばインク色やインク残量）がやり取りされる。本実施形態では、装置側端子３８１は９つの接触部ｃｐに対応して９つ設けられている。接点機構側位置決め部３８６，３８７は、Ｋ２軸方向において装置側端子３８１を挟むように配置されている。接点機構側位置決め部３８６，３８７は、保持部材３８５に配置されている。接点機構側位置決め部３８６，３８７はＫ１軸方向に沿って延びる部材である。接点機構側位置決め部３８６，３８７は、液体収容体５０を装着するときの装置側端子３８１と接触部ｃｐとの位置決めを行うための部材である。
【００７３】
Ａ−３．液体収容体５０の構成：
図１１は、液体収容体５０の第１の斜視図である。図１２は、液体収容体５０の第２の斜視図である。図１３は、液体収容体５０の正面図である。図１４は、液体収容体５０の左側面図である。図１５は、液体収容体５０の背面図である。図１６は、液体収容体５０の上面図である。図１７は、液体収容体５０の部分拡大図である。図１８は回路基板５８２を説明するための図である。図１９は、図１８の矢視Ｆ１８である。図１１〜図１７には、装着状態におけるＫ１軸，Ｋ２軸，Ｚ軸が描かれている。
【００７４】
液体収容体５０Ｋ（図１）と、液体収容体５０Ｃ，５０Ｍ，５０Ｙ（図２）とは、
液体収容部５２の容積が異なる。液体収容体５０Ｋの液体収容部５２は、液体収容体５０Ｃ，５０Ｍ，５０Ｙの液体収容部５２よりも容積が大きく、多くの量のインクを収容できる。本実施形態では、液体収容体５０Ｋの液体収容部５２は、液体収容体５０Ｃ，５０Ｍ，５０Ｙの液体収容部５２よりもＺ軸方向の長さとＫ１軸方向の長さが大きい。その他の構成については、液体収容体５０Ｋと、液体収容体５０Ｃ，５０Ｍ，５０Ｙとは同様の構成を有する。液体収容体５０Ｃ，５０Ｍ，５０Ｙの各液体収容部５２は外形形状が同じであり、同じ容量のインクを収容できる。なお、液体収容体５０Ｃ，５０Ｍ，５０Ｙの各液体収容部５２の容積は同じでなくても良く、異なっていても良い。例えば、使用頻度が高いインクを収容する液体収容体５０の液体収容部５２の容積を、使用頻度が低いインクを収容する液体収容体５０の液体収容部５２の容積よりも大きくしても良い。
【００７５】
Ｚ軸方向、Ｋ１軸方向、Ｋ２軸方向は以下のように定義できる。液体収容体５０の装着状態において、Ｚ軸方向は重力方向（鉛直方向）である。＋Ｚ軸方向が重力上方向（鉛直上方向）であり、−Ｚ軸方向が重力下方向（鉛直下方向）である。Ｋ１軸方向は、水平方向である。また、−Ｋ１軸方向は、液体収容体５０を可動部材３４にセットした後にプリンター１０に装着するときの液体収容体５０の装着方向（接続方向）である。また、＋Ｋ１軸方向は、液体収容体５０をプリンター１０から取り外す際の取外し方向である。また、Ｋ２軸方向は、重力方向（Ｚ軸方向）とＫ１軸方向とに直交する方向である。Ｚ軸方向は、液体収容体５０の「高さ方向」である。Ｋ１軸方向は、液体収容体５０の「長さ方向」である。Ｋ２軸方向は、液体収容体５０の「厚さ方向（幅方向）」である。
【００７６】
液体収容体５０（図１１）は、収容部支持アセンブリ５１と、液体収容部５２とを備える。収容部支持アセンブリ５１は、操作部５３と、液体供給部５７と、基板ユニット５８とを有する。操作部５３は、Ｋ２軸方向に開口する枠状の部材である。なお、操作部５３はこのような形状に限定されるものではなく、手で掴める形態であればどのような形状であっても良い。
【００７７】
液体収容部５２は、インクを収容可能である。液体収容部５２は、外表面が露出した状態で収容部支持アセンブリ５１に取り付けられている。すなわち、液体収容部５２は、ケースなどに収容されることなく外部から視認可能に構成されている。液体収容部５２は、可撓性を有し、収容されたインクの減少に伴って容積が減少する。なお、液体収容部５２は、インクの減少に伴って容積が減少すれば良く、少なくとも一部が可撓性を有していれば良い。
【００７８】
液体収容部５２は、第１のフィルム５２１と、第２のフィルム５２２と、第３のフィルム５２３とを有する。第１〜第３のフィルム５２１〜５２３は、内側にインクを収容するための空間部を区画する。液体収容体５０の装着状態において、第３のフィルム５２３は、液体収容部５２の底部を構成する。また、装着状態において第１と第２のフィルム５２１，５２２は、液体収容部５２の側面部を形成する。
【００７９】
ここで、図１１に示すように、液体収容部５２のうち、収容部支持アセンブリ５１が取り付けられた部分を一端部（上端部）５０１とし、一端部５０１と対向する部分を他端部（底端部）５０２とする。また、液体収容部５２のうち、一端側（−Ｋ１軸方向側）部分を第１側端部５０３とし、他端側（＋Ｋ１軸方向側）部分を第２側端部５０４とする。一端部５０１は装着状態において、鉛直方向と交差する方向（本実施形態では水平方向）に延びる。一端部５０１の長手方向は、取付部５４９の長手方向と同じＫ１軸方向となる。また、一端部５０１の長手方向のうち一方の方向である−Ｋ１軸方向（第１方向）は、後述する液体供給口５７２が向く方向である。
【００８０】
第１のフィルム５２１及び第２のフィルム５２２は、互いの周縁領域の一部が溶着されている。詳細には、周縁領域のうち、一端部５０１と、第１側端部５０３と、第２側端部５０４とが溶着されている。理解の容易のために、図１１及び図１２において、第１と第２のフィルム５２１，５２２が溶着された部分にはクロスハッチングを付している。また、液体収容部５２の一端部５０１には収容部支持アセンブリ５１（詳細には取付部５４９）が溶着されている。理解の容易のために、図１１及び図１２において、収容部支持アセンブリ５１と第１及び第２のフィルム５２１，５２２との溶着部分には実線のシングルハッチングを付している。
【００８１】
図１１に示すように、第３のフィルム５２３と、第１のフィルム５２１及び第２のフィルム５２２の周縁領域の一部とが溶着されている。この溶着部分には一点鎖線シングルハッチングを付している。このように、本実施形態の液体収容部５２は、３つのフィルム５２１，５２２，５２３を溶着等によって接着したタイプ（いわゆる、底面を有するパウチタイプ）である。
【００８２】
本実施形態では、液体収容部５２は第１〜第３のフィルム５２１〜５２３を溶着等によって接着したタイプであったが、第３のフィルム５２３を省略し、第１と第２のフィルム５２１，５２２を溶着等によって接着したタイプ（いわゆる、ピロータイプ）としても良い。
【００８３】
第１〜第３のフィルム５２１〜５２３はそれぞれ、可撓性を有する部材である。第１〜第３のフィルム５２１〜５２３の材料（材質）としては、例えば、ポリエチレンテレフタレート（ＰＥＴ），ナイロン，ポリエチレンなどが用いられる。また、これらの材料で構成されたフィルムを複数積層した積層構造を用いて第１〜第３のフィルム５２１〜５２３を形成しても良い。このような積層構造では、例えば、外層を耐衝撃性に優れたＰＥＴ又はナイロンによって形成し、内層を耐インク性に優れたポリエチレンによって形成しても良い。さらに、アルミニウムなどを蒸着した層を有するフィルムを積層構造の１つの構成部材としても良い。これにより、ガスバリア性を高めることができるので、例えば液体収容部５２に収容されたインクの濃度変化を抑制できる。このように、液体収容部５２の材質は任意に設定できる。
【００８４】
図１４に示すように、液体収容部５２の内部には、流路形成部材７０が配置されている。流路形成部材７０は、チューブである。流路形成部材７０は、弾性を有する。流路形成部材７０は、例えば、エラストマーやゴム等によって形成することで弾性を有している。
流路形成部材７０は、液体収容部５２の内部と液体供給部５７とを連通させる流路を内側に形成する。液体収容部５２のインクは、流路形成部材７０と操作部５３の内部に形成された内部流路である連通流路部７８を通って液体供給部５７に流通する。液体収容部５２から液体供給口５７２に至るインクの流れ方向において、流路形成部材７０の下流端は取付部５４９に形成された開口を有する接続部５４９ｔに接続されている。連通流路部７８は、流路形成部材７０の下流端から鉛直上方向に延びる第１流路部７８ａと、第１流路部７８ａからＫ１軸方向（一端部５０１の長手方向）に延び下流端が液体供給部５７に接続された第２流路部７８ｂとを有する。第１流路部７８ａは、一端部５０１と交差する。
【００８５】
図１１に示すように、操作部５３は、液体収容部５２に連結されている。すなわち、操作部５３は、液体収容部５２に直接的に又は他の部材を介して間接的に接続している。本実施形態では、操作部５３は、液体収容部５２の一端部５０１に取り付けられていることで液体収容部５２に連結されている。操作部５３は、液体収容部５２の一端部５０１側に位置する。操作部５３は、＋Ｚ軸方向側の端部に位置する第１側部５３２と、−Ｚ軸方向側の端部に位置する取付部５４９と、Ｚ軸方向について第１側部５３２と取付部５４９との間に位置する基部５３８とを有する。また、操作部５３は、更に、−Ｋ１軸方向側の端部に位置する第２側部５３４と、＋Ｋ２軸方向側の端部に位置する第３側部５３６とを有する。
【００８６】
第１側部５３２と、第２側部５３４と、第３側部５３６と、基部５３８とはそれぞれ棒状である。第１側部５３２と、第２側部５３４と、第３側部５３６と、基部５３８とによって枠状の部材が形成される。これにより、操作部５３には、利用者の手を受け入れるための略矩形状の受入空間部５４２が区画形成される。
【００８７】
第１側部５３２は、利用者が把持可能な部分である。理解の容易のために、図１１、図１２及び図１６において、操作部５３の第１側部５３２にはシングルハッチングを付している。第１側部５３２は、Ｋ１軸方向（一端部５０１の長手方向）に沿って延びる。すなわち、第１側部５３２の長手方向は、一端部５０１の長手方向と同じＫ１軸方向である。例えば、第１側部５３２の上面５３２ｆａ（図１６）の長手方向はＫ１軸方向である。第１側部５３２は、液体収容体５０がプリンター１０に装着されるときに液体収容部５２よりも上側に位置する。利用者や可動部材３４（図６）によって、液体収容体５０の操作部５３が支持された場合に、第１側部５３２は液体収容部５２よりも上側に位置する。ここで、本明細書において第１側部５３２を「把持部５３２」とも呼ぶ。
【００８８】
第２側部５３４（図１４）は、第１側部５３２のうち一端部５０１の長手方向（Ｋ１軸方向）における一方の側に位置する操作部一端部５３２ｓで第１側部５３２と交差する。本実施形態では、第２側部５３４は、操作部一端部５３２ｓから基部５３８側（−Ｚ軸方向側、液体収容部５２側）に延びる部材である。本実施形態において、第２側部５３４は液体収容体５０をプリンター１０に装着するときの装着方向を向いた面５３４ｆａを有する。
【００８９】
第３側部５３６（図１４）は、第１側部５３２のうち一端部５０１の長手方向（Ｋ１軸方向）における他方の側に位置する操作部他端部５３２ｔで第１側部５３２と交差する。本実施形態では、第３側部５３６は、操作部他端部５３２ｔから基部５３８側に延びる部材である。第２側部５３４と第３側部５３６とは対向する。第３側部５３６は、液体収容体５０の収容体側係合部５１１を可動部材３４の装置側係合部３４５に挿入して液体収容体５０を可動部材３４にセットした後に、利用者によって装着方向（−Ｋ１軸方向）に向けて押される部分としても機能する。また、第３側部５３６には、液体収容部５２が収容するインクの色を識別するための色識別部が配置されていても良い。色識別部としては、例えば、インク色を記載したラベルや、インク色で塗られたラベル等を用いても良い。
【００９０】
基部５３８は、第１側部５３２と対向する。基部５３８は、Ｋ１軸方向に沿って延びる。図１２に示すように、基部５３８には収容体側係合部５１１が配置されている。収容体側係合部５１１は、可動部材３４の装置側係合部３４５（図１０）と係合する。収容体側係合部５１１は、第１側部５３２の長手方向（Ｋ１軸方向、一端部５０１の長手方向）と平行な方向に沿って設けられている。すなわち、収容体側係合部５１１は、長手方向に所定の長さを有する。
【００９１】
取付部５４９（図１１）は、Ｋ１軸方向に沿って延びる。取付部５４９は、液体収容部５２の一端部５０１（図１１）が溶着等によって取り付けられる部分である。
【００９２】
液体供給部５７及び基板ユニット５８（図１７）は、操作部５３の第２側部５３４に支持されている（取り付けられている）。詳細には、第２側部５３４のうち第１方向を向く面５３４ｆａに液体供給部５７は支持されている。面５３４ｆａは、装着状態において水平方向と直交する平面である。図１７に示すように、面５３４ｆａは上面５３２ｆａと交差する面である。液体供給部５７は、液体収容部５２の内部と連通し液体収容部５２のインクをプリンター１０に供給する。詳細には、液体収容部５２のインクは、流路形成部材７０と操作部５３の内部流路（図示せず）とを通って液体供給部５７に至る。そして、液体供給部５７に至ったインクは、液体導入部３６２等を介してプリンター１０のヘッド１２に供給される。
【００９３】
液体供給部５７は、第２側部５３４（詳細には面５３４ｆａ）から外方に突出する。液体供給部５７の先端は開口である液体供給口５７２を形成する。液体供給口５７２は、液体収容部５２の内部と連通し、液体収容部５２に収容されたインクを外部（プリンター１０）に流出させる。液体供給部５７は、Ｋ１軸方向（中心軸ＣＴ方向）に沿って延びる筒状部材（環状部材）である。液体供給口５７２が向く方向は、液体収容部５０の一端部５０１の長手方向のうち一方の方向である第１方向（−Ｋ１軸方向）である。「液体供給口５７２が向く方向」とは、液体供給口５７２の端面によって規定される平面と垂直な方向である。また、「液体供給口５７２が向く方向が第１方向である」とは、液体供給口５７２が第１方向成分を有する方向を向いていることを意味する。本実施形態では、液体供給口５７２が向く方向は第１方向に平行な方向である。液体供給部５７は、液体収容体５０がプリンター１０に装着された装着状態において液体収容部５２よりも上側に位置する。これにより、液体収容体５０を操作する際に液体収容部５２に邪魔されることなく液体供給部５７の位置を容易に確認できる。
【００９４】
液体供給部５７は、中心軸ＣＴを備える。中心軸ＣＴは、Ｋ１軸方向と平行である。中心軸ＣＴは、直線状に延びる。液体供給部５７の内部には、液体供給部５７の内部流路を開閉するための弁機構が設けられている。液体導入部３６２（図８）が液体供給部５７内に挿入されることで弁機構が開弁して、液体供給部５７から液体導入部３６２へとインクが流通可能となる。図１７に示すように、中心軸ＣＴを中心として液体供給部５７の外周部には供給口位置決め部としての収容体側位置決め部５７６ａ〜５７６ｄが設けられている。４つの収容体側位置決め部５７６ａ〜５７６ｄは、液体供給部５７が液体導入部３６２に接続されるときに、４つの導入部側位置決め部３６６ａ〜３６６ｄを結ぶ円周の内側に入り込む。そして、４つの収容体側位置決め部５７６ａ〜５７６ｄと対応する４つの導入部側位置決め部３６６ａ〜３６６ｄとが当たることで装着方向（−Ｋ１軸方向）に垂直な平面内における液体供給部５７と液体導入部３６２との位置決めを行う。すなわち、４つの収容体側位置決め部５７６ａ〜５７６ｄは、液体供給口５７２が液体導入部３６２に接続（挿入）する際に、液体導入部３６２に対する液体供給口５７２の位置を位置決めする。これにより、液体供給口５７２を液体導入部３６２に接続する時の液体供給口５７２と液体導入部との位置ズレを抑制できる。なお、収容体側位置決め部５７６ａ〜５７６ｄは、液体供給部５７の構成部材として捉えることもできる。すなわち、液体供給部５７の内部流路を形成する本体の外周に収容体側位置決め部５７６ａ〜５７６ｄが設けられている。
【００９５】
収容体側電気接続部としての基板ユニット５８（図１７）は、回路基板５８２と、接触部配置部５９とを備える。基板ユニット５８は、操作部５３に支持されている（取り付けられている）。詳細には、液体供給部５７と同様に、第２側部５３４のうち第１方向を向く面５３４ｆａに支持されている。基板ユニット５８は、第２側部５３４（詳細には面５３４ｆａ）から外方に突出する。基板ユニット５８の突出方向は、液体供給部５７の突出方向（−Ｋ１軸方向）と同じである。図１１に示すように、基板ユニット５８と把持部としての第１側部５３２とは第１方向（−Ｋ１軸方向）に並んで配置されている。なお、他の実施形態では、液体供給部５７と第１側部５３２とが第１方向に並んで配置されていても良い。例えば、液体供給部５７と基板ユニット５８との位置を入れ換えた液体収容体を作成することで、液体供給部５７と第１側部５３２とが第１方向に並んで配置される。
【００９６】
接触部配置部５９は、回路基板５８２を配置する。接触部配置部５９は、操作部５３に一体的に設けられている。本実施形態では、接触部配置部５９は、操作部５３と一体成形により作成されることで、操作部５３と一体的に設けられる。ここで、「一体的に設けられる」とは、接触部配置部５９が操作部５３の動きに連動するように操作部５３に設けられていることを意味する。なお、他の実施形態では、操作部５３に対し接触部配置部５９を溶着等により取り付けることで、接触部配置部５９を操作部５３に一体的に設けても良い。
【００９７】
接触部配置部５９は、−Ｚ軸方向側（液体供給部５７が位置する側）が開口する凹形状である。接触部配置部５９は、底部（底面）５９４と、第１の側壁部５９２と、第２の側壁部５９３とを備える。底部５９４と第１の側壁部５９２と第２の側壁部５９３とによって、接触部配置部５９の凹形状が規定される。第１の側壁部５９２は、底部５９４の−Ｋ２軸方向側部分から重力下方向に延びる壁部である。第２の側壁部５９３は、底部５９４の＋Ｋ２軸方向側部分から重力下方向に延びる壁部である。第１と第２の側壁部５９２，５９３は互いに対向する。＋Ｚ軸方向側に位置する凹形状の底部５９４は、Ｋ１軸方向に対して傾斜している。底部５９４に回路基板５８２が取り付けられることで、回路基板５８２の表面５８２ｆａは水平方向に対して傾斜した状態で接触部配置部５９に保持される。
【００９８】
第１の側壁部５９２は、接触部側位置決め部としての溝部５９７を有する。第２の側壁部５９３は接触部側位置決め部としての溝部５９９を有する。２つの溝部５９７，５９９は、Ｋ２軸方向において回路基板５８２を挟むように両側に設けられている。２つの溝部５９７，５９９はそれぞれ略直方体形状である。接触部ｃｐと装置側端子３８１とを電気的に接触する直前に２つの溝部５９７，５９９が対応する２つの接点機構側位置決め部３８６，３８７（図６）に入り込む。これにより、装置側端子３８１に対する回路基板５８２（詳細には接触部ｃｐ）の最終的な位置決めが行われる。上記のごとく、接触部側位置決め部としての２つの溝部５９７，５９９は、接触部ｃｐが装置側電気接続部３８１に接触する際の装置側電気接続部３８１に対する接触部ｃｐの位置を位置決めする。これにより、装置側電気接続部３８１と接触部ｃｐとの位置ズレを抑制できる。
【００９９】
図１８に示すように、回路基板５８２の−Ｚ軸方向側の下側端部５８６にはボス溝５８４が形成され、回路基板５８２の＋Ｚ軸方向側の上側端部５８７にはボス孔５８５が形成されている。回路基板５８２は、ボス溝５８４およびボス孔５８５を用いて底部５９４（図１７）に固定されている。
【０１００】
図１８及び図１９に示すように、回路基板５８２は、表面５８２ｆａに設けられた液体収容体側端子群５８０と、裏面５８２ｆｂに設けられた記憶装置５８３とを有する。表面５８２ｆａ及び裏面５８２ｆｂは平面である。
【０１０１】
液体収容体側端子群５８０は、９つの端子５８１Ａ〜５８１Ｉからなる。記憶装置５８３は、液体収容体５０に関する情報（例えば、インク残量やインク色）等を格納する。記憶装置５８３と９つの端子５８１Ａ〜５８１Ｉとは電気的に接続されている。
【０１０２】
図１８に示すように、９つの液体収容体側端子５８１Ａ〜５８１Ｉはそれぞれ略矩形状に形成される。９つの液体収容体側端子５８１Ａ〜５８１Ｉは、装着方向（−Ｋ１軸方向）と交差する方向であるＺ軸方向の異なる位置に２つの列Ｌｎ１，Ｌｎ２を形成するように配置されている。５つの液体収容体側端子５８１Ｅ〜５８１Ｉと、４つの液体収容体側端子５８１Ａ〜５８１Ｄはそれぞれ第１方向（−Ｋ１軸方向）と交差する方向（Ｋ２軸方向）に沿って配列されてる。列Ｌｎ１，Ｌｎ２はそれぞれ第１方向（−Ｋ１軸方向）と交差するＫ２軸方向に平行である。液体収容体側端子５８１Ａ〜５８１Ｉのそれぞれの中央部には、対応する装置側端子３８１に接触する接触部ｃｐが形成されている。上記の列Ｌｎ１，Ｌｎ２は複数の接触部ｃｐによって形成される列であると考えることもできる。なお９つの液体収容体側端子５８１Ａ〜５８１Ｉを区別することなく用いる場合は符号「５８１」を用いる。
【０１０３】
図１７に示すように、複数の接触部ｃｐが配置された斜面としての表面５８２ｆａは、液体収容体５０の接続方向（装着方向）に対して傾斜している。詳細には、複数の接触部ｃｐが配置された表面５８２ｆａは、上側端部５８７が下側端部５８６よりも接続方向（−Ｋ１軸方向）側に位置するように傾斜している。また、複数の接触部ｃｐによって規定される仮想平面（接触面）は、接続方向（−Ｋ１軸方向）に対して傾斜している。詳細には、仮想平面は上側が下側よりも接続方向側に位置するように傾斜している。ここで仮想平面は、少なくとも１つが直線状に並んでいない３つの接触部ｃｐによって規定される平面である。また、表面５８２ｆａと仮想平面は、＋Ｚ軸方向（重力上方向）成分と−Ｋ１軸方向（接続方向）成分を含む方向を向くように傾斜している。仮想平面（接触面）は複数の接触部ｃｐが通る平面である。
【０１０４】
図１３に示すように、第１側部５３２の長手方向（Ｋ１軸方向，中心軸ＣＴに平行な方向）と垂直な面（基準面）に操作部５３を投影したときに、長手方向と垂直な方向であって第２側部５３４が延びる方向（Ｚ軸方向、鉛直方向）に沿って液体供給部５７と接触部ｃｐとが並んで配置されている。つまり、基準面に操作部５３を投影した場合に、第２側部５３４の短手方向（Ｋ２軸方向）について液体供給部５７が位置する範囲５７Ｐｔ内に複数の接触部ｃｐの少なくとも一部が位置する。また、図１３に示す液体収容体５０において、鉛直方向に沿って、液体供給部５７が位置する範囲５７Ｐｔ内に接触部ｃｐの少なくともに一部が配置されていれば良い。本実施形態では、範囲５７Ｐｔ内に複数の接触部ｃｐが位置する。これにより、操作部５３の長手方向と第２側部が延びる方向とに直交する方向（Ｋ２軸方向）において液体収容体５０が大型化することを抑制できる。なお、図１３において、範囲５７Ｐｔと、複数の接触部ｃｐを内包する最小と凸多角形で囲まれた範囲とが鉛直方向に少なくとも一部が重なっていても良い。このようにしても上記と同様に液体収容体５０がＫ２軸方向に大型化することを抑制できる。
【０１０５】
Ａ−４．液体収容体５０の装着方法：
図２０は、液体収容体５０の装着方法を説明するための第１の図である。図２１は、液体収容体５０の装着方法を説明するための第２の図である。図２２は、液体収容体５０の装着方法を説明するための第３の図である。図２３は、液体収容体５０の装着方法を説明するための第４の図である。図２０〜図２３の順で液体収容体５０をプリンター１０に装着するためのステップが行われる。
【０１０６】
図２０及び図２１に示すように、液体収容体５０をプリンター１０に装着する場合、まず利用者は第１側部５３２を把持して液体収容体５０の収容体側係合部５１１が可動部材３４の装置側係合部３４５上に位置するように液体収容体５０を移動させる。そして、図２２に示すように、液体収容体５０を鉛直下方向に移動させることで収容体側係合部５１１を装置側係合部３４５内に挿入して両部材５１１，３４５を係合させる。これにより、液体収容体５０の可動部材３４へのセットが完了する。次に図２３に示すように、利用者は操作部５３又は可動部材３４を−Ｋ１軸方向（接続方向）に移動させることで接触部ｃｐを装置側端子３８１に接触させると共に液体供給部５７と液体導入部３６２とを接続する（図９）。これにより、液体収容体５０のプリンター１０への装着が完了する。
【０１０７】
ここで、接続方向が液体収容部５２の厚さ方向（Ｋ２軸方向）に沿った方向である場合、装着の際に隣り合う液体収容体５０が当たることを防止するために、隣り合う液体収容体５０（液体収容体５０を収容するスペース）のＫ１軸方向における間隔を十分にとる必要が生じ得る。しかしながら本実施形態では、接続方向（−Ｋ１軸方向）が液体収容部５２の長さ方向（Ｋ１軸方向）に沿った方向であるため、液体収容体５０をプリンター１０に装着する際に、隣り合う液体収容体５０が装着しようとする液体収容体５０に当たって装着操作が阻害される可能性を低減できる。また、液体収容体５０のプリンター１０に対する着脱方向（Ｋ１軸方向）が、プリンター１０の前後方向（Ｘ軸方向）成分を有する。これにより、プリンター１０の左右方向（Ｙ軸方向）における液体収容体５０の着脱の際に必要な操作スペースを抑制できる。
【０１０８】
Ａ−５．効果：
上記実施形態によれば、図１１に示すように、液体収容体５０は把持部としての第１側部５３２を有するため、利用者は第１側部５３２を把持することにより操作部５３の位置を容易に操作できる。また、第１側部５３２を有する操作部５３が液体収容部５２に連結されているため、操作部５３を移動させることで液体供給部５７を液体導入部３６２に接続できる。また、液体供給口５７２が液体収容部５２の一端部５０１の長手方向（Ｋ１軸方向）となる第１方向（−Ｋ１軸方向）を向いているため、液体収容体５０をプリンター１０に装着するときの装着方向と交差する方向（Ｋ２軸方向）における液体収容体５０の装着操作スペースを抑制できる。
【０１０９】
また、上記実施形態によれば、操作部５３が液体収容部５２の一端部５０１側に位置するため第１側部５３２が把持されることで液体収容部５２の他端部５０２側が一端部５０１側よりも自重によって鉛直下側に垂れ下がる状態にできる。よって、第１側部５３２が把持された時の液体収容体５０の姿勢を安定にでき、液体収容体５０の操作を容易に行うことができる。また、液体供給部５７は操作部５３（詳細には面５３４ｆａ）に支持されているため、操作部５３の位置を操作することで液体供給部５７の位置も容易に操作できる。例えば、操作部５３を可動部材３４上にセットして可動部材３４を移動させることで操作部５３に連動して液体供給部５７も移動できる。これによっり、液体供給部５７を液体導入部３６２により確実に接続できる。
【０１１０】
また、上記実施形態によれば、図１４に示すように、液体供給口５７２が液体収容部５２の一端部５０１の長手方向となる第１方向（−Ｋ１軸方向）を向いているため、液体収容体５０をプリンター１０に装着するときの装着方向と交差する方向（例えば、Ｋ２軸方向）における液体収容体５０の装着操作スペースを抑制できる。また、図２３に示すように、収容体側係合部５１１によって液体収容体５０をプリンター１０に支持できる。
【０１１１】
また、上記実施形態によれば、図１１に示すように、液体収容体５０は液体収容部５２の一端部５０１に位置する操作部５３を備える。また、操作部５３は、液体収容体５０がプリンター１０に装着されるときに液体収容部５２よりも上側に位置し把持可能な第１側部５３２と、第１側部５３２の操作部一端部５３２ｓから液体収容部５２側に延び、液体供給部５７を支持する第２側部５３４と、を有する。これにより、利用者は操作部５３の第１側部５３２を把持することにより操作部５３を容易に操作できる。また、液体供給部５７が操作部５３の第２側部５３４に支持されているため、操作部５３を一端部５０１の長手方向に沿って移動させることで液体供給部５７を液体導入部３６２に接続できる。
【０１１２】
また上記実施形態によれば、図１４に示すように、第１側部５３２は、第１側部５３２の長手方向が一端部５０１の長手方向に平行な方向となるように設けられている。これにより、第１側部５３２の長手方向が、一端部５０１の長手方向と交差する方向である場合に比べ、液体収容体５０をＫ２軸方向について薄型化できる。
【０１１３】
また上記実施形態によれば、図４に示すように、プリンター１０を鉛直上向（＋Ｚ軸方向）から見たときに、反時計回り方向における第１側部５３２の長手方向Ｋ１Ｄと右側面１０６との成す角度ａ１は０度以上９０度未満であり、液体供給部５７の接続方向は、前後方向（Ｘ軸方向）成分を有する。これにより、プリンター１０と液体収容体５０とを有する液体消費システム１０００が左右方向（Ｙ軸方向）に大型化することを抑制できる。また、液体収容体５０をプリンター１０に装着するときの左右方向における液体収容体５０の操作スペースを抑制できる。これにより、液体収容体５０を着脱する際に確保すべき左右方向における操作スペースを小型化できる。
【０１１４】
また上記実施形態によれば、図１０に示すように、液体収容体５０は操作部５３に設けられた可動部材３４の装置側係合部３４５と係合するための収容体側係合部５１１を有する。これにより、案内部としての可動部材３４によって液体供給部５７が液体導入部３６２との接続位置まで案内されるため液体供給部５７を液体導入部３６２に容易に接続できる。また、収容体側係合部５１１は、第１側部５３２の長手方向（接続方向、一端部５０１の長手方向）と平行な方向に沿って設けられていることが好ましい。これにより、接続方向において収容体側係合部５１１と可動部材３４との位置ズレを更に抑制できるため、液体供給部５７を液体導入部３６２に更に容易に接続できる。
【０１１５】
また上記実施形態によれば、図１７に示すように、液体収容体５０は操作部５３に設けられた接触部ｃｐを有する。これにより、利用者は、操作部５３を把持して液体収容体５０を操作することによって接触部ｃｐの位置を容易に操作できる。また、接触部ｃｐが配置された表面５８２ｆａは、接触部ｃｐを装置側電気接続部３８１に接続するときの液体収容体５０の接続方向（−Ｋ１軸方向）に対して傾斜している。これにより、接触部ｃｐと装置側電気接続部３８１とが接触する直前に互いに擦れ合うことによって接触部ｃｐに付着した異物を除去できる。よって、接触部ｃｐと装置側電気接続部３８１との電気的な接続不良が発生する可能性を低減できる。なお、接触部ｃｐが接続方向に対して傾斜した表面５８２ｆａに配置されていることに代えて、複数の接触部ｃｐによって規定される面が接続方向に対して傾斜していれば上記と同様の効果を奏する。
【０１１６】
また、上記実施形態によれば、図２及び図３に示すように装置側端子３８１と液体導入部３６２とはそれぞれ筺体１９の外側に位置する。これにより装置側端子３８１と液体導入部３６２とが筺体１９の内側に位置する場合に比べて装置側端子３８１と液体導入部３６２に対して対応する液体収容体５０の部材ｃｐ，５７を容易に接続できる。
【０１１７】
また、上記実施形態によれば、図１１に示すように、収容体側電気接続部としての基板ユニット５８と把持部としての第１側部５３２とは第１方向（−Ｋ１軸方向）に並んで配置されている。これにより、第１方向と交差する方向（例えば、Ｋ２軸方向）における液体収容体の大きさを抑制できる。また、第１側部５３２を操作することで装置側電気接続部３８１への基板ユニット５８の接続を容易に行うことができる。
【０１１８】
Ｂ．第２実施形態：
図２４は、第２実施形態の液体消費システム１０００ａの斜視図である。図２５は、液体消費システム１０００ａの部分拡大図である。第１実施形態の液体消費システム１０００（図１）と第２実施形態の液体消費システム１０００ａとの異なる点は、プリンター１０ａの給紙カセット１６の数と、液体収容ケース２０ａの構成と、液体収容体５０ａの構成である。その他の構成については第１実施形態と同様の構成であるため、第１実施形態と同様の構成については同一符号を付すと共に説明を省略する。
【０１１９】
第１の液体収容ケース２０Ａａは、筺体１９の左側面１０４に取り付けられている。第２の液体収容ケース２０Ｂａは、筺体１９の右側面１０６に取り付けられている。第１の液体収容ケース２０Ａａには１つの液体収容体５０ａ（ブラックインクを収容する液体収容体）が収容され、第２の液体収容ケース２０Ｂａには３つの液体収容体５０ａが収容される。３つの液体収容体５０ａは、Ｙ軸方向に沿って並んで収容される。３つの液体収容体５０ａはそれぞれ異なる色（イエロ、マゼンタ、シアン）のインクを収容する。第１と第２の液体収容ケース２０Ａａ，２０Ｂａを区別することなく用いる場合は、単に液体収容ケース２０ａを用いる。
【０１２０】
図２４に示すように、液体収容ケース２０ａの内部のうち、−Ｘ軸方向側には液体導入部３６２が配置されている。液体導入部３６２は、図示しない流通部材としてのホースを介してプリンター１０ａのヘッドと連通している。液体収容ケース２０ａの前面には開閉可能な蓋部２２ａが取り付けられている。蓋部２２ａを開くことで液体収容体５０ａを液体収容ケース２０ａ内に収容して、液体収容体５０ａの液体供給部５７を液体導入部３６２に接続する。これにより、液体収容体５０ａがプリンター１０ａに装着される。本実施形態では、液体収容体５０ａの装着方向（液体供給部５７の接続方向）は−Ｘ軸方向であり、液体収容体５０ａの取り外し方向は＋Ｘ軸方向である。
【０１２１】
図２６は、液体収容体５０ａの第１の斜視図である。図２７は液体収容体５０ａの第２の斜視図である。図２６及び図２７には、装着状態におけるＸ軸，Ｙ軸，Ｚ軸が描かれている。異なる色を収容する４つの液体収容体５０ａの構成は同一である。第１実施形態の液体収容体５０（図１１）と、第２実施形態の液体収容体５０ａとの異なる点は、液体収容部５２ａを構成するフィルム５２１、５２２の数と、収容部支持アセンブリ５１の構成である。
【０１２２】
Ｘ軸方向、Ｙ軸方向、Ｚ軸方向は以下のように定義できる。液体収容体５０ａの装着状態において、Ｚ軸方向は重力方向（鉛直方向）である。＋Ｚ軸方向が重力上方向（鉛直上方向）であり、−Ｚ軸方向が重力下方向（鉛直下方向）である。Ｘ軸方向は、水平方向である。また、−Ｘ軸方向は、液体収容体５０の装着方向（接続方向）である。また、＋Ｘ軸方向は、液体収容体５０ａをプリンター１０ａから取り外す際の取り外し方向である。また、Ｙ軸方向は、重力方向（Ｚ軸方向）とＸ軸方向とに直交する方向である。Ｚ軸方向は、液体収容体５０の「高さ方向」である。Ｘ軸方向は、液体収容体５０ａの「長さ方向」である。Ｙ軸方向は、液体収容体５０ａの「厚さ方向」である。
【０１２３】
液体収容部５２ａは、インクを収容可能である。液体収容部５２ａは、外表面が露出した状態で収容部支持アセンブリ５１ａに取り付けられている。すなわち、液体収容部５２ａは、ケースなどに収容されることなく外部から視認可能に構成されている。液体収容部５２ａは、可撓性を有し、収容されたインクの減少に伴って容積が減少する。
【０１２４】
液体収容部５２ａは、第１のフィルム５２１と、第２のフィルム５２２とを有する。第１のフィルム５２１と第２のフィルム５２２は、内側にインクを収容するための空間部を区画する。装着状態において第１と第２のフィルム５２１，５２２は液体収容部５２の側面部を形成する。ここで、第１のフィルム５２１を液体収容部５２ａの第１面５２１とも呼び、第２のフィルム５２２を液体収容部５２ａの第２面５２２とも呼ぶ。第１と第２のフィルム５２１，５２２は、互いの周縁領域の一部が溶着されている。理解の容易のために、図２６及び図２７において、第１と第２のフィルム５２１，５２２が溶着された部分にはクロスハッチングを付している。また、液体収容部５２の一端部５０１には収容部支持アセンブリ５１ａが溶着によって取り付けられている。第１と第２のフィルム５２１，５２２は第１実施形態と同様に可撓性を有する部材である。
【０１２５】
収容部支持アセンブリ５１ａは、操作部５３ａと、液体供給部５７とを有する。操作部５３ａは、液体収容部５２ａの一端部５０１に取り付けられている。操作部５３ａは、一端部５０１が延びる方向（一端部５０１の長手方向）と平行な方向（Ｘ軸方向）に沿って延びる棒状の部材である。操作部５３ａは、＋Ｚ軸方向側の端部に位置する第１側部５３２と、−Ｚ軸方向側の端部に位置する基部５３８、−Ｘ軸方向側端部に位置する第２側部５３４と、＋Ｘ軸方向側端部に位置する第３側部５３６とを備える。基部５３８は、第１実施形態における取付部５４９（図１１）としても機能し、基部５３８に液体収容部５２ａの一端部５０１が取り付けられている。
【０１２６】
第１側部５３２は、一端部５０１の長手方向（Ｘ軸方向）に沿って延びる部材である。第１側部５３２は、利用者が把持可能な部分である。理解の容易のために、図２６、図２７において、操作部５３ａの第１側部５３２にはシングルハッチングを付している。第１側部５３２は、Ｚ軸方向側に位置する面５３２ｆａを形成するＸ軸方向に沿って延び第１板部材５３２ｍと、板部材から鉛直下方向に延びる第２板部材５３２ｐとを有する。第１側部５３２は、液体収容体５０ａがプリンター１０ａに装着されるときに液体収容部５２ａよりも上側に位置する。
【０１２７】
第２側部５３４（図２６）は、第１側部５３２のうち操作部一端部５３２ｓで第１側部５３２と交差する。本実施形態では、第２側部５３４は、操作部一端部５３２ｓから基部５３８側に延びる部材である。
【０１２８】
液体供給部５７（図２６）は、第１実施形態と同様に操作部５３ａの第２側部５３４に支持されている（取り付けられている）。液体供給部５７は、操作部５３ａの内部流路を介して液体収容部５２ａと連通している。
【０１２９】
第３側部５３６（図２７）は、第１側部５３２のうち操作部他端部５３２ｔで第１側部５３２と交差する。本実施形態では、第３側部５３６は、操作部他端部５３２ｔから基部５３８側に延びる部材である。第３側部５３６は、第２側部５３４と対向する。第３側部５３６には、液体収容部５２が収容するインクの色を識別するための色識別部５３９が配置されている。色識別部５３９は、インク色で塗られたラベルである。他の実施形態では、色識別部５３９はインク色を記載したラベル等であっても良い。色識別部５３９によって、利用者は液体収容体５０ａが収容するインクの色を容易に識別できる。また、第１実施形態と同様に第３側部５３６は、利用者によって装着方向（−Ｘ軸方向）に向けて押される部分としても機能する。
【０１３０】
基部５３８は、第１側部５３２と対向する。基部５３８の長手方向（Ｘ軸方向）は、第１側部５３２の長手方向と同じである。基部５３８には、収容体側係合部５５０が設けられている。収容体側係合部５５０は、基部５３８からＹ軸方向（液体収容部５２ａの厚さ方向）における外方に突出する板状部材である。収容体側係合部５５０は、第１側部５３２の長手方向と平行な方向（Ｘ軸方向）に沿って設けられている。本実施形態では、収容体側係合部５５０は、Ｘ軸方向について操作部一端部５３２ｓから操作部他端部５３２ｔまで延びる。収容体側係合部５５０は、液体収容体５０ａをプリンター１０ａに装着するときに、後述する液体収容ケース２０ａ内に設けられた装置側係合部としての案内部と係合する。
【０１３１】
図２８は、図２４のＦ２４−Ｆ２４断面図である。図２８には、液体収容ケース２０Ｂａに３つの液体収容体５０ａが装着された状態を示している。液体収容ケース２０ａは、Ｘ軸方向に沿って延びる装置側係合部としての案内部２２１を有する。液体収容体５０ａをプリンター１０ａに装着するときに、案内部２２１上に収容体側係合部５５０が配置されることで両部材２２１，５５０が係合する。案内部２２１は、液体収容ケース２０ａを形成する壁から突出する水平な板面である。液体収容体５０ａの液体供給部５７を液体導入部３６２に接続するときに、収容体側係合部５５０が案内部２２１と係合しながら液体収容体５０ａが接続方向（−Ｘ軸方向）を移動する。これにより、液体供給部５７と液体導入部３６２との接続を容易に行うことができる。
【０１３２】
液体収容ケース２０Ｂａは、隣り合う液体収容体５０ａを収容するための収容空間部２１１を区画形成するための２つの隔壁部２２５を有する。隔壁部２２５は、２つの隣り合う液体導入部３６２の間に位置する。２つの隔壁部２２５は、水平面に対して略垂直な壁である。２つの隔壁部２２５と液体収容ケース２０ａのケース本体２２とによって収容空間部２１１が区画形成される。隔壁部２２５によって、液体収容体５０ａの着脱の際に隣り合う液体収容体５０ａ同士が当たることを抑制し、液体収容体５０ａの着脱操作を容易に行うことができる。
【０１３３】
ここで、収容空間部２１１のＹ軸方向の長さは、液体収容部５２ａのＹ軸方向における最大幅よりも小さいことが好ましい。この場合における液体収容部５２ａの最大幅とは、インクが消費される前の液体収容体５０ａの初期状態であって、かつ、第１側部５３２を把持して液体収容部５２ａが自由状態（操作部５３ａよりも鉛直下側に垂れ下がった状態）における最大幅である。こうすることで、液体収容部５２ａの下部の膨らみを抑制できるため収容空間部２１１をＹ軸方向に小型化できる。
【０１３４】
上記実施形態によれば、第１実施形態と同様の構成を有する点において同様の効果を奏する。例えば、図２６に示すように、液体収容体５０ａは液体収容部５２ａの一端部５０１に位置する操作部５３ａを備える。また、操作部５３ａは、液体収容体５０ａがプリンター１０に装着されるときに液体収容部５２ａよりも上側に位置し把持可能な第１側部５３２と、第１側部５３２と交差し、液体供給部５７を支持する第２側部５３４と、を有する。これにより、利用者は操作部５３の第１側部５３２を把持することにより操作部５３を容易に操作できる。また、液体供給部５７が操作部５３の第２側部５３４に支持されているため、操作部５３を一端部５０１が長手方向に沿って移動させることで液体供給部５７を液体導入部３６２に接続できる。
【０１３５】
また上記実施形態によれば、プリンター１０ａは、収容体側係合部５５０が当接しながら液体収容体５０ａを接続位置（装着位置）まで導くための案内部２２１を備える。これにより、収容体側係合部５５０及び案内部２２１によって液体供給部５７が接続位置まで案内されるため液体供給部５７を液体導入部３６２に容易に接続できる。
【０１３６】
Ｃ．液体収容体の他の実施形態：
図２９は、他の実施形態の液体収容体５０ｂの斜視図である。図３０は、他の実施形態の液体収容体５０ｃの断面図である。図３１は、他の実施形態の液体収容体５０ｃの断面図である。図３２は、他の実施形態の液体収容体５０ｄの斜視図である。図２９〜図３２では、第２実施形態の液体収容体５０ａ（図２６）の更に好ましい態様を他の実施形態として説明するが、第１実施形態の液体収容体５０（図１１）に適用しても良い。
【０１３７】
図２９に示すように、液体収容体５０ｂは、接合部５９０を備える点で第２実施形態の液体収容体５０ａと異なる。接合部５９０は、第１面としての第１のフィルム５２１と、第２面としての第２のフィルム５２２（図２６）との内面同士を部分的に接合した部分である。詳細には、液体収容部５２内の一端部５０１側から他端部５０２側までの連通を維持しつつ、接合部５９０が形成される。こうすることで、第１のフィルム５２１と第２のフィルム５２２との対向方向（Ｙ軸方向）において、インクが充填された液体収容部５２が局所的に大きく膨らむことを抑制できる。よって、液体収容体５０ｂを薄型化できる。ここで、装着状態において他端部５０２を基準として液体収容部５２の高さをＴａとした場合に、接合部５９０が液体収容部５２の他端部５０２からＴａ×（２／３）以下の高さ範囲に位置することが好ましく、Ｔａ×（１／２）以下の高さ範囲に位置することが更に好ましい。こうすることで、液体収容部５２の他端部５０２側（下側）が大きく膨らむことを抑制できる。また、接合部５９０は複数設けられていても良い。例えば、接合部５９０は、異なる高さ位置に複数設けられていても良い。
【０１３８】
第１のフィルム５２１の内面と第２のフィルム５２２の内面とを直接接合する代わりに、図３０、図３１に示すように、別部材である接合部５９０ａを介在させて第１のフィルム５２１と第２のフィルム５２２の内面同士を接合しても良い。すなわち、液体収容体５０ｃは、第１のフィルム５２１と第２のフィルム５２２との内面同士を局所的に接合する接合部５９０ａを備える。接合部５９０ａは、第１と第２のフィルム５２１，５２２の対向方向（Ｙ軸方向）に伸縮できる板ばねである。液体収容部５２にインクが充填された場合において、接合部５９０ａは、第１と第２のフィルム５２１，５２２とが互いに近づく方向（液体収容部５２の容積が減少する方向）に両部材２１，５２２を付勢する。こうすることで、インクが充填された液体収容部５２が局所的に大きく膨らむことを抑制できる。また、図２９に示す液体収容体５０ｂが備える接合部５９０と同様の配置位置としても良い。例えば、接合部５９０ａは、液体収容部５２の他端部５０２からＴａ×（２／３）以下の高さ範囲に位置しても良く、Ｔａ×（１／２）以下の高さ範囲に位置していても良い。
【０１３９】
図３２に示すように、液体収容体５０ｄは、変形面としての第１のフィルム５２１に抑制部材９９０が取り付けられている。抑制部材９９０は、第１のフィルム５２１よりも剛性が高い部材である。すなわち、抑制部材９９０は、第１のフィルム５２１よりも変形しにくい部材である。抑制部材９９０は、例えばポリプロピレン（ＰＰ）やポリエチレンテレフタレート（ＰＥＴ）等の合成樹脂等で形成されている。抑制部材９９０はフィルム部材（シート部材）である。抑制部材９９０の外形形状は略長方形である。抑制部材９９０は、第１のフィルム５２１の外表面のうち中央領域に貼り付けられている。ここで、図２９に示す液体収容体５０ｄが備える接合部５９０と同様の配置位置としても良い。例えば、抑制部材９９０は、液体収容部５２の他端部５０２からＴａ×（２／３）以下の高さ範囲に位置しても良く、Ｔａ×（１／２）以下の高さ範囲に位置していても良い。また、本実施形態では、抑制部材９９０の表面にはインク色が表示されている。このように、抑制部材９９０は、液体収容体５０ｄのインク色などの種類を識別するための識別部としても機能する。このように液体収容体５０ｄは抑制部材９９０を備えることで、インクが充填された液体収容部５２の第１のフィルム５２１が過度に膨らむことを抑制できる。よって、液体収容体５０ｄを薄型化できる。なお、抑制部材９９０は、第１と第２のフィルム５２１，５２２の少なくとも一方に設けられていれば良い。
【０１４０】
Ｄ．操作部５３の他の実施形態：
図３３は、他の実施形態の液体収容体５０ｅの左側面図である。図３３は、図１４に相当する図である。液体収容体５０ｅと液体収容体５０（図１４）との異なる点は、操作部５３の第３側部５３６ｅが開口部５２４を有する点である。開口部５２４は、利用者の手が第３側部５３６ｅを通過して第２側部５３４側に向けて移動可能な開口である。これにより、利用者が第１側部５３２を把持するときに、利用者は、手を開口部５２４を通過させて第１側部５３２を把持できる位置まで移動させることができる。よって、操作部５３の第１側部５３２を容易に把持できるため液体収容体５０ｅの操作性を向上できる。
【０１４１】
Ｅ．さらに他の実施形態：
図３４から図３６を用いてさらに別の他の実施形態を説明する。図３４は、第１実施形態の液体収容体５０（図１２）から第１側部５３２、及び、基板ユニット５８を取り除いた液体収容体５０Ａを示す斜視図である。図３５は、第１実施形態の液体収容体５０（図１２）から第１側部５３２を取り除いた液体収容体５０Ｂを示す斜視図である。図３６は、第２実施形態の液体収容体５０ａ（図２６）から第１側部５３２を取り除いた液体収容体５０ａＡを示す斜視図である。図３４及び図３５に示すように、液体収容体５０Ａ，５０Ｂはそれぞれ、第１実施形態の液体収容体５０と同様に、液体収容部５２の一端部５０１の長手方向となる第１方向（−Ｋ１軸方向）を向く液体供給口５７２が形成された液体供給部５２と、装置側係合部３４５（図３Ａ）と係合する収容体側係合部５１１を有する。これにより、上記第１実施形態と同様に、液体収容体５０Ａ，５０Ｂをプリンター１０に装着するときの装着方向と交差する方向における液体収容体５０Ａ，５０Ｂの装着操作スペースを抑制できる。また、収容体側係合部５１１によって液体収容体５０Ａ，５０Ｂをプリンター１０に支持できる。ここで、液体収容体５０Ａが装着されるプリンターは第１実施形態と同様に接点機構３８（図６）を有しても良いし有していなくても良い。
【０１４２】
図３６に示すように、液体収容体５０ａＡは、第２実施形態の液体収容体５０ａと同様に、液体収容部５２ａの一端部５０１の長手方向となる第１方向（−Ｋ１軸方向）を向く液体供給口５７２が形成された液体供給部５２と、装置側係合部としての案内部２２１（図２８）と係合する収容体側係合部５５０を有する。これにより、上記第２実施形態と同様に液体収容体５０ａＡをプリンター１０に装着するときの装着方向と交差する方向における液体収容体５０ａＡの装着操作スペースを抑制できる。また、収容体側係合部５５０によって液体収容体５０ａＡをプリンター１０に支持できる。
【０１４３】
図３７は、他の実施形態の液体収容体５０ｆを説明するための図である。液体収容体５０ｆと第１実施形態の液体収容体５０（図１１）との異なる点は、操作部５３が内部にインクを収容可能に構成され操作部５３も液体収容部５２の一部である点と、液体供給部５７と基板ユニット５８とのＺ軸方向における位置が逆である点である。その他の構成については第１実施形態の液体収容体５０と同様である。操作部５３を含む液体収容部５２ｆは、複数のフィルムを溶着することで形成されている。また、液体収容部５２ｆのうち、図３７に示す点線よりも上側の部分のフィルム表面にはフィルムよりも剛性の高いシート部材が貼り付けられていても良い。これにより、操作部５３が把持されたときに操作部５３の形状変化を抑制できる。液体収容部５２のインクは、操作部５３内の液体流路（液体収容部５２の一部である流路）を通って液体供給部５７に至る。液体供給部５７と基板ユニット５８とは第２側部５３４に支持されている。装着状態において、液体供給部５７は、基板ユニット５８よりも上側に位置する。よって、液体収容体５０ｆが装着されるプリンターは接点機構３８（図６）と液体導入機構３６との鉛直方向における配置が逆になる。液体供給部５７と第１側部５３２とは第１方向（−Ｋ１軸方向）に並んで配置されている。このようにしても上記第１実施形態と同様の構成を備える点において同様の効果を奏する。例えば、液体収容体５０ｆは把持部としての第１側部５３２を有するため、利用者は第１側部５３２を把持することにより操作部５３の位置を容易に操作できる。また、第１側部５３２を有する操作部５３が液体収容部５２に連結されているため、操作部５３を移動させることで液体供給部５７を液体導入部３６２に接続できる。また、液体供給口５７２が液体収容部５２ｆの一端部５０１の長手方向（Ｋ１軸方向）となる第１方向（−Ｋ１軸方向）を向いているため、液体収容体５０ｆをプリンター１０に装着するときの装着方向と交差する方向（Ｋ２軸方向）における液体収容体５０ｆの装着操作スペースを抑制できる。
【０１４４】
Ｆ．変形例：
なお、この発明は上記の実施例や実施形態に限られるものではなく、その要旨を逸脱しない範囲において種々の態様において実施することが可能であり、例えば次のような変形も可能である。
【０１４５】
Ｆ−１．第１変形例：
上記実施形態では、液体収容体５０〜５０ｅは液体収容部５２を備えていたが、液体収容部５２を省略して電気接続体６０としても良い。図３８は、第１実施形態の液体収容体５０（図１２）から液体収容部５２を省略して電気接続体６０とした図である。電気接続体６０は、外部に配置されたタンク６６から液体流通管６２と操作部５３の内部流路を介して液体供給部５７にインクが供給される。なお、タンク６６は内部に液体を注入するための注入口（図示せず）を備えていても良く、タンクの内部と外部とを連通させる大気連通口（図示せず）を備えていても良い。更に、タンク６６は、液体収容ケース２０内に配置しても良い。また、第２実施形態の液体収容体５０ａ（図２６）は、第２側部５３４に接続体側電気接続部としての基板ユニット５８（図３４）を備えていても良い。また、第２実施形態の液体収容体５０ａが基板ユニット５８を備えていた場合、液体収容部５２ａを省略して電気接続体とし機能させても良い。このように電気接続体６０によれば、利用者は操作部５３の第１側部５３２を把持することにより操作部５３を容易に操作できる。また、操作部５３を省略して液体消費装置１０に設けられた装置側係合部３４５（図６）と係合する係合部（接続体側係合部）５１１、又は、図２８に示す案内部２２１と係合するレール状の係合部（接続体側係合部）５５０（図３６）を備えていても良い。すなわち、液体消費装置に設けられた液体導入部３６２に接続する電気接続体が以下の構成であっても良い。電気接続体は、液体導入部３６２と接続する液体供給部５７と、液体供給部５７に連結して設けられ、液体消費装置１０，１０ａに設けられた装置側係合部３４５，２２１と係合可能な係合部５１１，５５０と、液体供給部５７に連結し、液体供給部５７が液体導入部３６２と接続したときに液体供給部５７と鉛直方向に少なくとも一部が重なるように配置され、液体消費装置１０，１０ａに設けられた装置側電気接続部３８１と接触可能な接触部ｃｐを有する基板ユニット５８（電気接続部）とを備える。液体供給部５７には液体流通管６２を介して液体収容タンク６６が接続されても良い。上記の電気接続体は、例えば、図３５に示す液体収容体５０Ｂから液体収容部５２を省略した構成である。また、電気接続体６０ａの液体供給部５７を省略して液体流通管６２の一端部を直接に液体導入部３６２に接続しても良い。
【０１４６】
Ｆ−２．第２変形例：
図３９は第２変形例を説明するための図である。上記実施形態では、液体収容ケース２０，２０ａは筺体１９の左側面１０４及び右側面１０６に設けられていたが、設置位置はこれらに限定されるものではなく、左側面１０４と右側面１０６とのいずれか一方に設け得られていても良く、他の面に設けても良い。例えば、図３９に示すように第２実施形態において、液体収容ケース２０ａを筺体１９の下側に設けても良い。下側に設けられた液体収容ケース２０ａは、ブラック、シアン、マゼンタ、イエローのインクを収容する４つの液体収容体５０を着脱可能に装着できる。また、液体収容ケース２０ａを筺体１９の上側に設けても良い。また、液体収容体ケース２０はプリンター１０の筐体１９と一体的に形成されていても、別体に形成されていてもよい。更に、液体収容体ケース２０内において液体導入部３６２および装置側電気接続部３８１のセット（接続ユニット）は、複数のセットが鉛直方向の上下に配置されていても良いし、千鳥配置のように上下にずらして配置されていても良い。
【０１４７】
Ｆ−３．第３変形例：
上記実施形態では、接触部ｃｐは回路基板５８２の表面５８２ｆａ上に配置されていたが、装置側電気接続部３８１と電気的に接触可能な接触部ｃｐを有していれば良い。例えば、回路基板５８２は記憶装置５８３は備えていなくても良い。また例えば、接触部ｃｐは、液体収容体５０の着脱検出に用いられる端子の接触部を備えていても良い。また、接触部ｃｐは、フレキシブルプリント基板（ＦＰＣ）のようなフレキシブルなケーブルを含む回路基板に設けられていても良い。この回路基板は装置側電気接続部３８１と接触可能な接触部ｃｐを一端側に有する。他端側は例えばリセット装置につながる。また、接触部ｃｐは、平面上に設けられる必要なく曲面に設けられていても良い。
【０１４８】
Ｆ−４．第４変形例：
上記第１実施形態において、第１の液体収容ケース２０Ａについても第１の液体収容ケース２０Ｂと同様の構成を有していても良い。例えば、プリンター１０を鉛直上方から見たときに、液体収容体５０の装着状態において、左側面１０４から反時計回り方向における第１側部５３２の長手方向と左側面１０４との成す角度ａ２が０度以上９０度未満であり、液体収容体５０の接続方向が前後方向（Ｘ軸方向）成分を有していても良い。こうすることで、液体消費システム１０００が左右方向に大型化することを抑制できる。また、液体収容体５０を液体消費装置１０に装着するときの左右方向における液体収容体５０の操作スペースを抑制できる。なお、第２実施形態では、第１と第２の液体収容ケース２０Ａａ，２０Ｂａは角度ａ１，ａ２共に０度である。
【０１４９】
Ｆ−５．第５変形例：
上記実施形態では、例えば、図１４に示すように第１側部５３２の長手方向は、液体収容部５０の一端部５０１の長手方向と平行な方向であったが、これに限定されるものではなく把持可能な形状であれば良い。例えば、第１側部５３２は、装着状態において鉛直方向に沿って延びる棒状の部材であっても良いし、途中で屈曲する形状であっても良い。
【０１５０】
Ｆ−６．第６変形例：
本発明は例えば以下の他の形態としても実現することが可能である。
［他の形態１］
液体消費装置に装着され前記液体消費装置に液体を供給する液体収容体であって、
少なくとも一部に可撓性を有し、前記液体を収容するための液体収容部と、
直線状に延びる中心軸を有し、前記液体消費装置の液体導入部が接続される液体供給部と、
前記液体収容部に連結された操作部と、を備え、
前記操作部は、
把持可能な第１側部であって、前記中心軸が延びる方向と平行な方向に延びる第１側部と、
前記第１側部と交差し前記液体供給部が支持される第２側部と、を有する、液体収容体。
［他の形態２］
上記他の形態に記載の液体収容体であって、
前記液体収容部は、前記液体収容体の前記液体消費装置への装着状態において鉛直上側に位置する一端部を有し、
前記操作部は、前記液体収容部の前記一端部側に位置する、液体収容体。
［他の形態３］
上記他の形態に記載の液体収容体であって、
前記操作部は、さらに、
前記液体収容部が収容する前記液体の色を識別するための色識別部を備えた、液体収容体。
［他の形態４］
上記他の形態に記載の液体収容体であって、
前記操作部は、さらに、
前記第１側部から前記中心軸が延びる方向と交差する方向に延び、前記第２側部と対向する第３側部と、を備え、
前記第３側部は、利用者の手が前記第３側部を通過して前記第２側部側に向けて移動可能な開口部を有する、液体収容体。
［他の形態５］
上記他の形態に記載の液体収容体であって、
前記液体導入部は、前記液体消費装置の前面に向かって左側面側に設けられ、
前記液体消費装置を鉛直上方から見たときに、
前記液体収容体が前記液体消費装置に装着された装着状態において、前記左側面から時計回り方向における前記第１側部の前記長手方向と前記左側面との成す角度は、０度以上９０度未満であり、
前記液体供給部を前記液体導入部に接続するときの方向は、前記液体消費装置の前記前面と後面とが対向する前後方向成分を有する方向である、液体収容体。
［他の形態６］
上記他の形態に記載の液体収容体であって、
前記液体導入部は、前記液体消費装置の前面に向かって右側面側に設けられ、
前記液体消費装置を鉛直上方から見たときに、
前記液体収容体が前記液体消費装置に装着された装着状態において、前記右側面から反時計回り方向における前記把持部の前記長手方向と前記右側面との成す角度は、０度以上９０度未満であり、
前記液体供給部を前記液体導入部に接続するときの方向は、前記液体消費装置の前記前面と後面とが対向する前後方向成分を有する方向である、液体収容体。
［他の形態７］
上記他の形態に記載の液体収容体であって、
さらに、
前記液体収容体を支持可能に前記液体消費装置に設けられた装置側係合部と係合可能な収容体側係合部を備えた、液体収容体。
［他の形態８］
上記他の形態に記載の液体収容体であって、
前記収容体側係合部は、前記中心軸が延びる方向と平行な方向に沿って設けられている、液体収容体。
［他の形態９］
上記他の形態に記載の液体収容体であって、さらに、
前記液体消費装置に設けられた装置側電気接続部と接触可能な接触部を有する収容体側電気接続部を備えた、液体収容体。
［他の形態１０］
上記他の形態に記載の液体収容体であって、さらに、
前記液体消費装置に設けられた装置側電気接続部と接触可能な接触部を有する収容体側電気接続部であって、前記操作部に支持された収容体側電気接続部を備えた、液体収容体。
［他の形態１１］
上記他の形態に記載の液体収容体であって、
前記液体収容体が前記液体消費装置に装着された装着状態において、
前記第１側部の長手方向は鉛直方向と交差する方向に延び、
前記第１側部の長手方向と垂直な面に前記操作部を投影したときに、前記液体供給部と前記接触部とは鉛直方向に並んで配置されている、液体収容体。
［他の形態１２］
上記他の形態に記載の液体収容体であって、
前記接触部は、前記第１方向に対して傾斜した斜面に設けられている、液体収容体。
［他の形態１３］
上記他の形態に記載の液体収容体であって、
前記接触部は複数設けられ、
前記複数の接触部によって規定される面は、前記接触部を前記装置側電気接続部に接続するときの前記液体収容体の接続方向に対して傾斜している、液体収容体。
［他の形態１４］
上記他の形態に記載の液体収容体であって、
前記接触部は複数設けられ、
前記複数の接触部は、前記中心軸が延びる方向と交差する方向に沿って配列されている、液体収容体。
［他の形態１５］
上記他の形態に記載の液体収容体であって、さらに、
前記液体消費装置に設けられた装置側電気接続部と接触可能な接触部を有する収容体側電気接続部を備え、
前記液体供給部と前記収容体側電気接続部とのいずれか一方と、前記第１側部とは、前記中心軸が延びる方向に平行な方向に並んで配置されている、液体収容体。
［他の形態１６］
上記他の形態に記載の液体収容体であって、
前記収容体側電気接続部は、さらに、前記接触部が前記装置側電気接続部に接触する際に前記装置側電気接続部に対する前記接触部の位置を位置決めするための接触部側位置決め部を備えた、液体収容体。
［他の形態１７］
上記他の形態に記載の液体収容体であって、
前記液体収容体が前記液体消費装置に装着された装着状態において、前記液体供給部は前記液体収容部よりも上側に位置する、液体収容体。
［他の形態１８］
上記他の形態に記載の液体収容体であって、さらに、
前記液体供給部と前記液体収容部とを連通し、前記一端部と交差する連通流路部を備えた、液体収容体。
［他の形態１９］
上記他の形態に記載の液体収容体であって、
前記液体供給部は、
一端に形成された液体供給口と、
前記液体供給口が前記液体導入部と接続する際に、前記液体導入部に対する前記液体供給口の位置を位置決めするための供給口位置決め部とを備えた、液体収容体。
［他の形態２０］
上記他の形態に記載の液体収容体であって、
前記液体収容部は、
前記中心軸が延びる方向と直交する方向に対向し、可撓性を有する第１面及び第２面と、
前記第１面と前記第２面との内面同士を部分的に接合する接合部と、を有する、液体収容体。
［他の形態２１］
上記他の形態に記載の液体収容体であって、さらに、
前記液体収容部を構成する面のうち可撓性を有する変形面に取り付けられ、前記変形面よりも剛性が高い抑制部材を備える、液体収容体。
【０１５１】
Ｆ−７．第７変形例：
本発明は例えば以下の別の他の形態としても実現することが可能である。
［別の他の形態１］
液体消費装置に設けられた液体導入部を介して前記液体消費装置に液体を供給する液体収容体であって、
前記液体導入部に接続される液体供給部と、
少なくとも一部に可撓性を有し、前記液体収容体が前記液体消費装置に装着された状態において前記液体供給部の前記液体導入部への接続方向と平行な方向に延びる一端部を有する液体収容部と、
前記液体収容部に連結された操作部と、を備え、
前記操作部は、
把持可能な第１側部と、
前記第１側部のうち前記一端部の長手方向における一方の側に位置する操作部一端部から前記長手方向と交差する方向に延びる第２側部と、を備え、
前記液体供給部は、前記第２側部に支持される、液体収容体。
［別の他の形態２］
上記別の他の形態に記載の液体収容体であって、
前記操作部は、前記液体収容部の前記一端部側に位置する、液体収容体。
［別の他の形態３］
上記別の他の形態に記載の液体収容体であって、
前記第１側部は、前記第１側部の長手方向が前記一端部の前記長手方向に平行な方向となるように設けられている、液体収容体。
［別の他の形態４］
上記別の他の形態に記載の液体収容体であって、
前記操作部は、さらに、
前記液体収容部が収容する前記液体の色を識別するための色識別部を備えた、液体収容体。
［別の他の形態５］
上記別の他の形態に記載の液体収容体であって、
前記操作部は、さらに、
前記第１側部から前記一端部の前記長手方向と交差する方向に延び、前記第２側部と対向する第３側部と、を備え、
前記第３側部は、利用者の手が前記第３側部を通過して前記第２側部側に向けて移動可能な開口部を有する、液体収容体。
［別の他の形態６］
上記別の他の形態に記載の液体収容体であって、
前記液体導入部は、前記液体消費装置の前面に向かって左側面側に設けられ、
前記液体消費装置を鉛直上方から見たときに、
前記液体収容体が前記液体消費装置に装着された装着状態において、前記左側面から時計回り方向における前記第１側部の前記長手方向と前記左側面との成す角度は、０度以上９０度未満であり、
前記液体供給部を前記液体導入部に接続するときの方向は、前記液体消費装置の前記前面と後面とが対向する前後方向成分を有する方向である、液体収容体。
［別の他の形態７］
上記別の他の形態に記載の液体収容体であって、
前記液体導入部は、前記液体消費装置の前面に向かって右側面側に設けられ、
前記液体消費装置を鉛直上方から見たときに、
前記液体収容体が前記液体消費装置に装着された装着状態において、前記右側面から反時計回り方向における前記第１側部の前記長手方向と前記右側面との成す角度は、０度以上９０度未満であり、
前記液体供給部を前記液体導入部に接続するときの方向は、前記液体消費装置の前記前面と後面とが対向する前後方向成分を有する方向である、液体収容体。
［別の他の形態８］
上記別の他の形態に記載の液体収容体であって、さらに、
前記液体収容体を支持可能に前記液体消費装置に設けられた装置側係合部と係合可能な収容体側係合部を備えた、液体収容体。
［別の他の形態９］
上記別の他の形態に記載の液体収容体であって、
前記収容体側係合部は、前記一端部の長手方向と平行な方向に沿って設けられている、液体収容体。
［別の他の形態１０］
上記別の他の形態に記載の液体収容体であって、さらに、
前記液体消費装置に設けられた装置側電気接続部と接触可能な接触部を有する収容体側電気接続部を備えた、液体収容体。
［別の他の形態１１］
上記別の他の形態に記載の液体収容体であって、さらに、
前記液体消費装置に設けられた装置側電気接続部と接触可能な接触部を有する収容体側電気接続部であって、前記操作部に支持された収容体側電気接続部を備えた、液体収容体。
［別の他の形態１２］
上記別の他の形態に記載の液体収容体であって、
前記液体収容体が前記液体消費装置に装着された装着状態において、
前記第１側部の長手方向は鉛直方向と交差する方向に延び、
前記第１側部の長手方向と垂直な面に前記操作部を投影したときに、前記液体供給部と前記接触部とは鉛直方向に並んで配置されている、液体収容体。
［別の他の形態１３］
上記別の他の形態に記載の液体収容体であって、
前記接触部は、前記接続方向に対して傾斜した斜面に設けられている、液体収容体。
［別の他の形態１４］
上記別の他の形態に記載の液体収容体であって、
前記接触部は複数設けられ、
前記複数の接触部によって規定される面は、前記接触部を前記装置側電気接続部に接続するときの前記液体収容体の接続方向に対して傾斜している、液体収容体。
［別の他の形態１５］
上記別の他の形態に記載の液体収容体であって、
前記接触部は複数設けられ、
前記複数の接触部は、前記接続方向と交差する方向に沿って配列されている、液体収容体。
［別の他の形態１６］
上記別の他の形態に記載の液体収容体であって、さらに、
前記液体消費装置に設けられた装置側電気接続部と接触可能な接触部を有する収容体側電気接続部を備え、
前記液体供給部と前記収容体側電気接続部とのいずれか一方と、前記第１側部とは、前記接続方向に並んで配置されている、液体収容体。
［別の他の形態１７］
上記別の他の形態に記載の液体収容体であって、
前記収容体側電気接続部は、さらに、前記接触部が前記装置側電気接続部に接触する際に前記装置側電気接続部に対する前記接触部の位置を位置決めするための接触部側位置決め部を備えた、液体収容体。
［別の他の形態１８］
上記別の他の形態に記載の液体収容体であって、
前記液体収容体が前記液体消費装置に装着された装着状態において、前記液体供給部は前記液体収容部よりも上側に位置する、液体収容体。
［別の他の形態１９］
上記別の他の形態に記載の液体収容体であって、さらに、
前記液体供給部と前記液体収容部とを連通し、前記一端部と交差する連通流路部を備えた、液体収容体。
［別の他の形態２０］
上記別の他の形態に記載の液体収容体であって、
前記液体供給部は、
一端に形成された液体供給口と、
前記液体供給口が前記液体導入部と接続する際に、前記液体導入部に対する前記液体供給口の位置を位置決めするための供給口位置決め部とを備えた、液体収容体。
［別の他の形態２１］
上記別の他の形態に記載の液体収容体であって、
前記液体収容部は、
前記一端部の前記長手方向と直交する方向に対向し、可撓性を有する第１面及び第２面と、
前記第１面と前記第２面との内面同士を部分的に接合する接合部と、を有する、液体収容体。
［別の他の形態２２］
上記別の他の形態に記載の液体収容体であって、さらに、
前記液体収容部を構成する面のうち可撓性を有する変形面に取り付けられ、前記変形面よりも剛性が高い抑制部材を備える、液体収容体。
【０１５２】
Ｆ−８．第８変形例：
上記第１実施形態では、図１０に示すように、収容体側係合部５１１は凸状であり、装置側係合部３４５は凹状であったが両部材５１１，３４５が係合できる限りにおいて他の形状であっても良い。例えば、収容体係合部５１１が凹状であり、装置側係合部３４５が凸状であっても良い。また、上記第２実施形態では、図２８に示すように、収容体側係合部５５０は、基部５３８から外方に突出する板状部材であり、装置側係合部としての案内部２２１が液体収容ケース２０ａを形成する壁から突出する水平な板面であったが、両部材５１１，２２１が係合できる限りにおいて他の形状であっても良い。例えば、収容体側係合部５５０と装置側係合部２２１とのいずれか一方が凹状であり、他方が凹状内に入り込む凸状であっても良い。
【０１５３】
Ｆ−９．第９変形例：
上記実施形態では、例えば図１７及び図１８に示すように、複数の接触部ｃｐによって規定される面は斜め下を向いた斜面であったが、斜め上を向いた斜面になるように複数の接触部ｃｐを配置しても良い。また、装置側電気接続部３８１（図６）が斜め下を向いていても良い。
【０１５４】
Ｆ−１０．第１０変形例：
本発明は、インクジェットプリンター及びそれに用いる液体収容体に限らず、インク以外の他の液体を噴射する任意の液体消費装置及びその液体を収容する液体収容体が内部に配置された液体収容ケースにも適用することができる。例えば、以下のような各種の液体消費装置及び液体収容ケースに適用可能である。また、液体を記録媒体に噴射して画像等を記録する液体消費装置に代えて、液体を媒体に噴射する以下の各種液体噴射装置にも本実施形態の液体収容ケースは適用することができる。
（１）ファクシミリ装置等の画像記録装置
（２）液晶ディスプレイ等の画像表示装置用のカラーフィルタの製造に用いられる色材噴射記録装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体噴射装置
（５）精密ピペットとしての試料噴射装置
（６）潤滑油の噴射装置
（７）樹脂液の噴射装置
（８）時計やカメラ等の精密機械にピンポイントで潤滑油を消費する液体噴射装置
（９）光通信素子等に用いられる微小半球レンズ（光学レンズ）などを形成するために紫外線硬化樹脂液等の透明樹脂液を基板上に噴射する液体噴射装置
（１０）基板などをエッチングするために酸性又はアルカリ性のエッチング液を噴射する液体噴射装置
（１１）他の任意の微小量の液滴を吐出させるヘッドを備える液体噴射装置
【０１５５】
なお、「液滴」とは、液体消費装置又は液体消費装置から吐出される液体の状態をいい、粒状、涙状、糸状に尾を引くものも含むものとする。また、ここでいう「液体」とは、液体消費装置又は液体噴射装置が液体を噴射できるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、沈降成分の例である顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。また、紫外線を照射して硬化可能なＵＶインクをこの液体収容部に収容してプリンターに接続した場合は、設置面から液体収容袋が浮くため、設置面の熱が液体収容部に伝って硬化する可能性が低減する。
【符号の説明】
【０１５６】
１０，１０ａ…プリンター
１１…記録機構
１２…ヘッド
１３…制御部
１６…給紙カセット
１７…排出トレイ
１９…筺体
２０，２０ａ…液体収容ケース
２０Ａ，２０Ａａ…第１の液体収容ケース
２０Ｂ，２０Ｂａ…第２の液体収容ケース
２２、２２Ａ，２２Ｂ…ケース本体
２２ａ…蓋部
２３…支点部
２４…端部
３０，３０Ｃ，３０Ｍ，３０Ｙ，３０Ｋ…着脱ユニット
３２…固定部材
３４…可動部材
３６…液体導入機構
３８…接点機構
４０…接続部材
５０，５０ａ〜５０ｆ，５０Ａ，５０Ｂ，５０ａＡ，５０Ｃ，５０Ｍ，５０Ｙ，５０Ｋ…液体収容体
５１，５１ａ…収容部支持アセンブリ
５２，５２ａ…液体収容部
５３，５３ａ…操作部
５７…液体供給部
５７Ｐｔ…範囲
５８…基板ユニット
５９…接触部配置部
６０，６０ａ…電気接続体
６２…液体流通管
６６…タンク
７０…流路形成部材
７２…ホース
７８…連通流路部７８
７８ａ…第１流路部
７８ｂ…第２流路部
１０２…前面
１０４…左側面
１０６…右側面
１０７…上面
１０８…底面
１０９…後面
２１１…収容空間部
２２１…案内部
２２５…隔壁部
３２１…本体部
３２２…固定側レール部
３４１…上面部
３４２…可動側レール部
３４５…装置側係合部
３６２…液体導入部
３６３…液体導入本体部
３６６ａ…導入部側位置決め部
３８１…装置側電気接続部（装置側端子）
３８５…保持部材
３８６…接点機構側位置決め部
５０１…一端部
５０２…他端部
５０３…第１側端部
５０４…第２側端部
５１１…収容体側係合部
５２１…第１のフィルム
５２２…第２のフィルム
５２３…第３のフィルム
５２４…開口部
５３２…第１側部
５３２ｓ…操作部一端部
５３２ｔ…操作部他端部
５３２ｆａ…上面
５３２ｍ…第１板部材
５４２ｐ…第２板部材
５３４…第２側部
５３６…第３側部
５３８…基部
５３９…色識別部
５４２…受入空間部
５４９…取付部
５４９ｔ…接続部
５５０…係合部
５７２…液体供給口
５７６ａ…収容体側位置決め部
５８０…液体収容体側端子群
５８１Ａ〜５８１Ｉ…端子
５８２…回路基板
５８２ｆａ…表面
５８２ｆｂ…裏面
５８３…記憶装置
５８４…ボス溝
５８５…ボス孔
５８６…下側端部
５８７…上側端部
５９０，５９０ａ…接合部
５９２…第１の側壁部
５９３…第２の側壁部
５９４…底部
５９７…溝部
５９９…溝部
９９０…抑制部材
１０００，１０００ａ…液体消費システム
ａ…角度
ＣＬ…中心軸
ＣＴ…中心軸
Ｍ１…移動方向
ａ１、ａ２…角度
ｃｐ…接触部
【図１】
2016055444.tif 000003
【図２】
2016055444.tif 000004
【図３Ａ】
2016055444.tif 000005
【図３Ｂ】
2016055444.tif 000006
【図４】
2016055444.tif 000007
【図５】
2016055444.tif 000008
【図６】
2016055444.tif 000009
【図７】
2016055444.tif 000010
【図８】
2016055444.tif 000011
【図９】
2016055444.tif 000012
【図１０】
2016055444.tif 000013
【図１１】
2016055444.tif 000014
【図１２】
2016055444.tif 000015
【図１３】
2016055444.tif 000016
【図１４】
2016055444.tif 000017
【図１５】
2016055444.tif 000018
【図１６】
2016055444.tif 000019
【図１７】
2016055444.tif 000020
【図１８】
2016055444.tif 000021
【図１９】
2016055444.tif 000022
【図２０】
2016055444.tif 000023
【図２１】
2016055444.tif 000024
【図２２】
2016055444.tif 000025
【図２３】
2016055444.tif 000026
【図２４】
2016055444.tif 000027
【図２５】
2016055444.tif 000028
【図２６】
2016055444.tif 000029
【図２７】
2016055444.tif 000030
【図２８】
2016055444.tif 000031
【図２９】
2016055444.tif 000032
【図３０】
2016055444.tif 000033
【図３１】
2016055444.tif 000034
【図３２】
2016055444.tif 000035
【図３３】
2016055444.tif 000036
【図３４】
2016055444.tif 000037
【図３５】
2016055444.tif 000038
【図３６】
2016055444.tif 000039
【図３７】
2016055444.tif 000040
【図３８】
2016055444.tif 000041
【図３９】
2016055444.tif 000042